(57)【要約】【課題】浴槽と洗い場用防水パンをより簡素な構造ながら高い止水性を保持して相互に結合でき、現場への搬入性に優れ、より安価な分割タイプのユニットバスを提供する。【解決手段】ユニットバス１は、浴槽１１と、洗い場用防水パン１２と、浴槽のリム部１０Ａ１と防水パンの土手部１２Ｂ１とをそれらの一側面の両端部それぞれにて水密に結合するため１対の結合部材１３Ａ，１３Ｂと、１対の結合部材、浴槽のリム部、及び防水パンの土手部により画成される開口部ＯＰを水密に閉塞する着脱自在な板状のバスエプロン１４とを備える。【選択図】  図３
2005296359.tif 000002
【特許請求の範囲】
【請求項１】
上端縁にリム部が形成された浴槽と、
この浴槽の一側面に隣接して配置され且つ土手部が形成された洗い場用防水パンと、
前記浴槽のリム部と前記防水パンの土手部とを前記一側面の長手方向における両端部それぞれにて水密に結合するための所定長さの１対の結合部材と、
前記浴槽の前記一側面の側に前記１対の結合部材、前記浴槽のリム部、及び前記防水パンの土手部から成る枠部により画成される矩形状の開口部を水密に閉塞する着脱自在な板状のバスエプロンと、を備えたことを特徴とするユニットバス。
【請求項２】
前記枠部は、前記１対の結合部材、前記浴槽のリム部、及び前記防水パンの土手部が提供する４面から成る面一の枠状面を有し、
前記バスエプロンは、前記枠状の面に当接可能な同一高さの表面を有し、
前記バスエプロンの前記枠部への取り付け時に、前記枠部の枠状面と前記バスエプロンの表面との間に介在させる水密部材を備えたことを特徴とする請求項１に記載のユニットバス。
【請求項３】
前記水密部材は、前記バスエプロンに予め装着されていることを特徴とする請求項２に記載のユニットバス。
【請求項４】
前記水密部材は、前記バスエプロンの取り付け状態における当該バスエプロンの前記浴槽側の表面のうちの端部寄りの位置を一周する水密性パッキンであることを特徴とする請求項３に記載のユニットバス。
【請求項５】
前記バスエプロンを介して前記水密部材を前記浴槽の側に押圧する押圧手段を備えたことを特徴とする請求項２〜４の何れか一項に記載のユニットバス。
【請求項６】
前記浴槽のリム部は、前記長手方向に沿って下向きに開口させた溝部を有し、
前記バスエプロンは、当該バスエプロンの上端面にその長手方向に沿って連続するように設けた水密部材を有し、
前記バスエプロンの上端部を前記溝部にその下側から嵌め込み、当該バスエプロンの上端面を、前記水密部材を介して前記浴槽の溝部に当接させるようにして当該バスエプロンを取り付けるようにしたことを特徴とする請求項５に記載のユニットバス。
【請求項７】
前記押圧手段は、前記洗い場用防水パンの前記土手部の立ち上がり部に設けられるとともに、前記バスエプロンの底面に当該バスエプロンの板面方向及び板圧方向にそれぞれ力を加えるバネ部材であることを特徴とする請求項６に記載のユニットバス。
【請求項８】
前記１対の結合部材のそれぞれは、前記枠部の一部を成す面を呈するピラー部と、このピラー部に結合し且つ浴室の壁の支持に供するポスト部とを有し、
前記ピラー部は、前記長手方向において前記壁に対して前記ポスト部よりも遠い位置に在ることを特徴とする請求項１に記載のユニットバス。
【請求項９】
前記ピラー部は、前記バスエプロンが取り付けられた状態にて当該バスエプロンと前記壁との間に双方に密着して位置することを特徴とする請求項８に記載のユニットバス。
【請求項１０】
前記１対の結合部材のそれぞれは、前記枠部の一部を成す面を呈するピラー部を有し、このピラー部はその軸方向からみて略Ｌ字状に形成された底面を有することを特徴とする請求項１に記載のユニットバス。
【請求項１１】
前記１対の結合部材のそれぞれは、前記枠部の一部を成す面を呈するピラー部と、浴室の壁の支持に供するポスト部と、このポスト部と前記ピラー部とを接続する略矩形状で板状の中間部材とを備えたことを特徴とする請求項１０に記載のユニットバス。
【発明の詳細な説明】
【技術分野】
【０００１】
本発明は、一般家庭などの浴室として用いられる浴室ユニットに関し、とくに、浴槽、洗い場用防水パン、及びバスエプロンをそれぞれ別体として現場に搬入し、現場にて一体に組み付ける浴室ユニットに関する。
【背景技術】
【０００２】
一般家庭で使用される浴室ユニットには種々のタイプのものがあるが、通常、浴槽と洗い場とが互いに隣接して設置されるタイプのもの、すなわちユニットバスが多い。
【０００３】
このユニットバスには、（Ｉ）：浴槽と洗い場とを最初から一体に成形し、その一体のまま現場に搬入して施工するタイプのもの、（II）：浴槽とバスエプロン付きの洗い場用防水パンとを別体として成形し、施工時に双方を一体に組み付けるタイプのもの、更には、（III）：浴槽、洗い場用防水パン、バスエプロン、及びバスエプロン用の枠体などの主要はコンポーネントをそれぞれ別体として成形して現場に搬入し、現場にて一体に組み付ける分割タイプのものがある。
【０００４】
各タイプの浴槽それぞれに長所はあるが、現場への搬入性、現場での施工や保守の容易性、更にはユーザの高級感に対する満足度の点から、上述した（III）の分割タイプものに対する要求は依然として高いものがある。
【０００５】
上述した（III）の分割タイプのユニットバスの一例として、特許文献１に記載の浴室ユニット（洗い場付きユニットバス）の構造が知られている。この浴室ユニットは、浴槽、洗い場用防水パン、矩形枠状の立装連結フレーム、及び浴槽遮蔽板部（開口部用閉蓋、エプロン）を分割した複数のコンポーネントとして備える。この浴室ユニットの組み付け時には、立装連結フレームを用いて浴槽のフランジ部の一辺と防水パンの土手部の一辺とをビスやボルトで相互に連結する。これにより、浴槽と洗い場用防水パンとが連結に結合されるとともに、立装結合フレームで画成されて作業用開口部が形成される。この作業用開口部には浴槽遮蔽板部が着脱自在に取り付けられる。この作業用開口部を介して施工作業や保守作業を能率良く行なうことができる。
【特許文献１】特開２００３−１１１６８７号公報
【発明の開示】
【発明が解決しようとする課題】
【０００６】
しかしながら、上述した特許文献１に記載の浴室ユニットの場合、浴槽及び洗い場用防水パンのほかに、この両者を相互に段違い状態で連結する連結フレーム、この連結フレームにより形成される開口部を閉じる閉蓋及びエプロンといった多数のコンポーネントが必要であることから、その分、製造コストが高くなる。また、連結フレーム、閉蓋、及びエプロンが何れも大きな矩形状又は矩形枠状であることから、建築中の家屋の狭い廊下を通って浴室部分に搬入する場合などに、その搬入性が問題になる。
【０００７】
さらに、上述したように、開口部は矩形状で大きく形成されることから、浴槽側への水漏れ防止構造もその分、大掛かりになる。これを詳述すれば、矩形枠状の連結フレームと浴槽及び洗い場用防水パンの土手部とを、当該連結フレームの上下２辺の長い範囲に渡って水密に組み付け、さらに、この連結フレームに閉蓋を、その矩形状の枠部分全周に沿って水密に組み付ける必要がある。すなわち、水密パッキンなどで水密性を確保しなければならない距離が最低でも、連結フレームの全周の距離のおよそ２倍になる。このため、水密部分の距離が長いので、止水性の低下に対する懸念は大きい。
【０００８】
また、この特許文献１に代表される浴室ユニットの場合、建築構造物（建築土台、床面など）の上に高さ調節用可能な支持架台を直接設置し、この支持架台の上に浴槽を設置することが殆どである。このため、洗い場側と浴槽側とを繋ぐ配管に水漏れが発生した場合、この水漏れは直接、建築構造物に伝わるので、湿気などの因る傷みやカビなどの被害を与えてしまう恐れがある。仮に、浴槽の下側に防水パンを置くとしても、清掃の困難さを考慮すると、水漏れは禁物である。
【０００９】
本発明は、このような従来の組付けタイプの浴室ユニットが直面する状況に鑑みてなされたもので、浴槽と洗い場用防水パンをより簡素な構造ながら高い止水性を保持して相互に結合でき、現場への搬入性に優れ、且つ、より安価に製造販売することができる分割タイプの浴室ユニットであるユニットバスを提供することを、その目的とする。
【課題を解決するための手段】
【００１０】
上記目的を達成するため、本発明に係るユニットバスは、その主要な態様として、上端縁にリム部が形成された浴槽と、この浴槽の一側面に隣接して配置され且つ土手部が形成された洗い場用防水パンと、前記浴槽のリム部と前記防水パンの土手部とを前記一側面の長手方向における両端部それぞれにて水密に結合するための所定長さの１対の結合部材と、前記浴槽の前記一側面の側に前記１対の結合部材、前記浴槽のリム部、及び前記防水パンの土手部から成る枠部により画成される矩形状の開口部を水密に閉塞する着脱自在な板状のバスエプロンと、を備えたことを特徴とする。
【発明の効果】
【００１１】
本発明に係るユニットバスによれば、主要なコンポーネントとしての浴槽、洗い場用防水パン、１対の結合部材、及びバスエプロンがそれぞれ分割して製造・出荷される。これらのコンポーネントは分割されたまま、別体として現場に搬入され、現場にて一体に組みつけられて、浴槽と洗い場とが互いに隣接して設置されたユニットバスとして提供される。
【００１２】
浴槽と洗い場用防水パンの結合は、浴槽の一側面に位置するリム部と防水パンの一側面に位置する土手部とを互いに対向させ、その対向部分の長手方向の両端部にて、１対の結合部材を介して相互に水密に結合される。この結合部材は、かかる両端部において立設されて、浴槽のリム部と洗い場用防水パンの土手部とを上下に結合するピラー部材である。このため、結合部材はサイズ的に小さくて済む。
【００１３】
この１対の結合部材で浴槽のリム部と防水パンの土手部とを相互に結合することで、１対の結合部材、浴槽のリム部、及び防水パンの土手部により開口部が画成される。このため、この開口部をバスエプロンで着脱自在に且つ水密に閉塞することにより、別体としての浴槽と防水パンとを機能上、一体化することができる。
【００１４】
このように、浴槽と洗い場用防水パンとを現場にて一体化するのに必要な部材は、ピラー状の１対の結合部材で足りる。また、結合部材に関して水密手段が必要になる部分は、各結合部材の上下の端部とバスエプロンが開口部に当接する周回部分のみで足りる。
【００１５】
したがって、より簡素な構造でありながら、浴槽と洗い場用防水パンとを高い止水性を保持して互いに結合できる。また、主要なコンポーネントの数が少なくなるとともに、従来のように予めバスエプロンと洗い場用防水パンが一体化されたような大形のコンポーネントを搬入しなくても済むので、搬入性も良くなる。さらに、従来のような連結フレームなど、大形の結合部材を使用しなくても済むので、製造コストを抑制できる。したがって、製造から販売までに要する製造販売コストに関して、より安価な分割タイプのユニットバスを提供することができる。
【発明を実施するための最良の形態】
【００１６】
以下、添付図面を参照して、本発明に係るユニットバスの１つの実施形態を説明する。この実施形態に係るユニットバスは、浴室ユニットの一形態である、浴槽と洗い場とが互いに隣接して設置されるタイプに属する。
【００１７】
図１に、一実施形態に係るユニットバスの全体の外観（組付け後の外観）を示し、図２に、このユニットバスの主要コンポーネントを分解した状態（組付け前）の外観を示す。
【００１８】
最初に、このユニットバスの主要コンポーネントを中心とする概要を説明する。
【００１９】
図１及び図２に示すように、バスユニット１は、その主要コンポーネントの一部として、浴槽１１と、この浴槽１１に隣接して設置される洗い場用防水パン１２（以下、防水パン１２と呼ぶ）、この防水パン１２と浴槽１１とを着脱自在に結合する１対の結合部材１３Ａ，１３Ｂと、この結合部材１３Ａ，１３Ｂ、浴槽１１の防水パン側（一側面側）のリム部１１Ａ１、及び防水パン１２の浴槽側（一側面側）の土手部１２Ｂ１により画成される矩形状の開口部ＯＰ（図２参照）を着脱自在に且つ止水性を保持して閉塞するバスエプロン１４とを備える。浴槽１１、防水パン１２、及び結合部材１３Ａ，１３Ｂは共に、一例としてＦＲＰ（繊維強化プラスチック）で形成される。浴槽１１及び防水パン１２は、建築構造物（例えばコンクリート床）上に置かれた高さ調節用可能な支持架台ＳＰにより支持されている。
【００２０】
ここで、説明の便宜のため、浴槽１１（及び洗い場用防水パン１２）の長手方向をＺ軸とする直交座標系を設定する。この長手方向は、本実施形態にあっては、浴槽１１の一側面に位置するリム部１１Ａ１（又は、洗い場用防水パン１２の一側面に位置する土手部１２Ｂ１）が防止パン１２（又は浴槽１１）に対向しながら延びる板方向を言う。
【００２１】
これらの浴槽１１、防水パン１２、結合部材１３Ａ，１３Ｂ、及びバスエプロン１４により、この洗い場付き浴槽１１は、浴槽の部分、洗い場の部分、及びバスエプロンの部分が予め分離されて提供される「３分割構造」を特徴とする。すなわち、これらの主要コンポーネント（浴槽１１、防水パン１２、結合部材１３Ａ，１３Ｂ、及びバスエプロン１４）は、それぞれ、別体として製造されて現場に搬入され、現場にて一体に組み付けられる。
【００２２】
このため、現場への搬入性がアップして省施工が可能になるほか、サイズの大きい点検口（すなわち開口部ＯＰ）を確保できるため、保守性も高い。また、一体に組付け後の浴槽の外観は浴槽１及び洗い場床面が互いに別体に見えるため、バスユニット１の高級感を醸し出すことができる。
【００２３】
このバスユニット１は、さらに別の主要コンポーネントとして、防水パン１２のＺ軸方向の一端部にて床面から所定高さの位置にほぼ水平に設置される洗い場カウンタ１５と、この洗い場カウンタ１５の手前側の位置に立設される化粧板（蓋板）１６と、この洗い場カウンタ１５、化粧板１６、及び壁面とに囲まれたスペースを利用して配置される給水配管部１７とを備える。このうち、洗い場カウンタ１５及び化粧板１６は利用者であっても簡単に着脱できるようになっている。
【００２４】
次に、図３〜１６を参照して、このバスユニット１の主要コンポーネントの構造をその作用効果と共に詳述する。
【００２５】
（１．浴槽）
図３及び図４に示すように、浴槽１１は、利用者が身体を伸ばして入浴できるように細長い内容積のバスタブＴＢを有し、そのバスタブＴＢの周囲にリム部１１Ａを形成している。リム部１１Ａは、その長手方向（Ｚ軸方向）に沿って位置し且つ防止パン１２に隣接する第１のリム部１１Ａ１と、この第１のリム部１１Ａ１に連なってバスタブＴＢの縁を一周する第２〜第４のリム部１１Ａ２〜１１Ａ４とから成る。
【００２６】
このうち、第１のリム部１１Ａ１は、図４に示すように、バスタブＴＢを形成する壁体が所定高さの位置で所定幅の湾曲部を残すように折れ曲がって一体成形されている。この湾曲部により、下向き（Ｙ軸方向）に開口する略Ｕ字状の溝部２１が形成されている。この溝部２１には、その幅方向（Ｘ軸方向）の中心付近の位置に、所定高さで且つ溝部２１の長手方向（Ｚ軸方向）全体にわたって延びる長さの仕切り板２２が垂下されている。これにより、溝部２１がその長手方向に沿って略二分されている。この二分された溝部２１Ａ，２１Ｂのうち、防水パン側の溝部２１Ａは、後述するようにバスエプロン１４を着脱自在に装着するスペースとして使用される。
【００２７】
第１のリム部１１Ａ１から第２のリム部１１Ａ２に至る角部には、例えば図３に示すように、浴槽水栓２５が立設されている。この浴槽水栓２５は、その角部（リム部）の裏側で後述する２本の配管（給水配管及び給湯配管）に接続されている。
【００２８】
第２〜第４のリム部１１Ａ２〜１１Ａ４には、詳述しないが、立ち上がり部がそれぞれ形成され、この立ち上がり部に浴室の壁体を嵌め込んで止水処理することで止水性を確保している。
【００２９】
（２．防水パン）
一方、防水パン１２は、高さ方向（Ｙ軸方向）において、浴槽１１のリム部１１Ａよりも低い位置に設置される。防水パン１２は、床面部１２Ａと、その床面部１２Ａの周囲に立ち上がりを一体に形成する土手部１２Ｂから成る。床面部１２Ａは、洗い場の中心となる床面本体１２Ａ１と、長手方向（Ｚ軸方向）の一端部に床面本体１２Ａ１から段差によって画成された略矩形状の段差部１２Ａ２とから成る。床面本体１２Ａ１は浴槽寄りの１つの角部に向かって緩やかに傾斜しており、その角部に形成された排水口３１に導水できるようになっている。段差部１２Ａ２には、後述する給水配管部１７が設置される。
【００３０】
この防水パン１２の土手部１２Ｂは、図２、３に示すように、その長手方向（Ｚ軸方向）に沿って位置し且つ浴槽１１に隣接する第１の土手部１２Ｂ１と、この第１の土手部１２Ｂ１に連なって防水パン１２の縁を一周する第２〜第４の土手部１２Ｂ２〜１２Ｂ４とから成る。
【００３１】
このうち、第１の土手部１２Ｂ１は、図４から分かるように、床面本体１２Ａ１及び段差部１２Ａ２から横方向（Ｘ軸方向）に延びる幅の狭いレール状床面３２Ａと、このレール状床面３２Ａから上方向（Ｙ軸方向）に立ち上がる立ち上がり面３２Ｂと、この立ち上がり面３２Ｂから更に横方向に伸びて立ち上がる形状の立ち上がり部３２Ｃとを成る。つまり、この第１の土手部１２Ｂ１は２段階で立ち上がる形状になっている。１段目のレール状床面３２Ａは、後述するようにバスエプロン１４を着脱自在に装着するために使用される。
【００３２】
このため、最初の立ち上がり面３２Ｂには、その内側に、複数個のバネ３３を所定高さ位置で長手方向（Ｚ軸方向）に沿って一定間隔で配置されている。この複数個のバネ３３は、それぞれ、所定長さ且つ所定幅の鋼材を、側面から見て基部３３Ａから立ち上がる逆Ｖ字状の折り曲げ部を有するように折り曲げて形成され、その折り曲げ部に所望のバネ性を持たせている。各バネ３３はその逆Ｖ字状の折り曲げ部を下向きに開口した状態で取り付けられる。これにより、複数個のバネ３３が協働して、それらの折り曲げ部の底部でバスエプロン１４の底面に形成される略Ｖ字状の凹部を着脱自在に受け入れ且つそのバスエプロン１４に上向き（Ｙ軸方向）且つ横向き（Ｘ軸方向で浴槽向き）の成分を有する斜め方向に押圧力を加える。
【００３３】
上述した第１の土手部１２Ｂ１のうち、２段目の立ち上がり部３２Ｃは各種の止水パッキンを以ってしても沁み出した水分があるときに、これを蓄えて自然乾燥させるための止水に対するバッファとしての役目を与えている。
【００３４】
さらに、防水パン１２の第２〜第４の土手部１２Ｂ２〜１２Ｂ４にも、詳述しないが、立ち上がり部がそれぞれ形成され（例えば図４の第２の土手部１２Ｂ２を参照）、この立ち上がり部に浴室の壁体を嵌め込んで止水処理することで止水性が確保される。第３の土手部１２Ｂ３の所定範囲に及ぶ位置には、浴室出入り用のドアが設置される。
【００３５】
なお、防水パン１２の段差部１２Ａ２については、給水配管部１７と共に後述する。
【００３６】
（結合部材）
さらに、１対の結合部材１３Ａ，１３Ｂのうち、第１の結合部材１３Ａの全体斜視図を図５に示す。この第１の結合部材１３Ａは、図５に示すように、浴室の壁体の一部を支持するための支持体（ポスト部）３９と、略板状で所定厚さ及び所定長さを有する支柱体（ピラー部）４１と、この支柱体４１と支柱体３９とを相互に剛結する矩形板状の中間部材４０とを備える。この中間部材４０は、その取り付け状態における下端側の一部が支柱体３９より短く形成される一方で、その上端部は支柱体３９と同一高さに形成されている。
【００３７】
支柱体４１は、略板状の基板部４１Ａと、この基板部の一方の表面Ｓ１（第１の当接面）の途中から直角（又は鈍角：図５中の角度θ参照）に立ち上がる面Ｓ２（第２の当接面）を介して凸状に形成された膨張部４１Ｂと、支柱体４１の取り付け状態での下端部から突状に延設されたフランジ部４１Ｃと、支柱体４１の取り付け状態における上端部に凹んで形成された段差部４１Ｄとを一体に有する。フランジ部４１Ｃ（及び基板部４１Ａ）の板面方向と膨張部４１Ｂの膨張方向（凸部方向）とは直交するように設定されている。
【００３８】
中間部材４０の上端部は、段差部４１Ｄの底面の一部を成している。この中間部材４０の位置には、図６に示すように、組み付け時に浴室の壁体ＷＬを位置させる。このため、支持体３９は、壁体ＷＬの後ろ側に位置し、壁体ＷＬの奥に隠れるので、この壁体ＷＬの取り付けに使用される。
【００３９】
支持体３９は、略矩形状の板状部材でなるが、その取り付け状態における下端部にその板面方向に３角形状に広がる広がり部３９Ａを有し、その上端部にその板面方向に突き出た突き出し部３９Ｂを有して一体に形成されている。支持体３９の広がり部３９Ａを含む下端面は前記中間部材のそれと同一面をなすように形成される一方で、突き出し部３９Ｂは支柱体４１よりも高く形成されている。このため、支持体３９の板面方向は、フランジ部４１Ｃ（及び基板部４１Ａ）のそれとも直交している。
【００４０】
フランジ部４１Ｃの一部には、図５に示すように、その面が一部凹んだ凹部４１Ｃａが形成されている。この凹部４１Ｃａをネジにより防水パン１２の第１の土手部１２Ｂ１の壁面に固定することで、第１の結合部材１３Ａが防水パン１２に結合される。
【００４１】
図５に示すように、この第１の結合部材１３Ａの支柱体４１の底面及び接続部材の底面に掛けて水密部材ＬＢ１が貼り付けられている。また、支柱体４１の段差部４１Ｄ及び支持体３９の突き出し部３９Ｂに掛けて水密部材ＬＢ２が貼り付けられている。
【００４２】
さらに、この第１の結合部材１３Ａの軸方向の取り付け状態での上端部には、浴槽１１への取り付け用の金具４２が取り付けられている。
【００４３】
また、膨張部４１Ｂの部分には、その表裏を貫通する貫通孔４３が所定高さの位置に形成されている。この貫通孔４３は、後述する配管を通過させるためのものである。
【００４４】
これに対して、防水パン１２の第１の土手部１２Ｂ１の端部には、図５に示すように、第１の結合部材１３Ａの支柱体４１のＬ字状の底部の形状に合わせた切込み部４４が形成されている。このとき、第１の結合部材１３Ａの下端部を、かかる切込み部４３に差し込んだときに、図６に示すように、第１の土手部１２Ｂ１の立ち上がり部３２Ｂの面Ｓ３と、第１の結合部材１３Ａの支柱体４１の表面Ｓ１（第１の当接面）とが同一面を形成するように、それらのサイズが設定されている。
【００４５】
また、浴槽１１の第１のリム部１１Ａ１と第２のリム部１１Ａ２との間の角部には、浴槽水栓２５を取り付け用の金具４２で迂回する状態で、第１の結合部材１３Ａの支柱体４１の上端部が固設される（図６参照）。このとき、第１のリム部１１Ａ１に形成された防水パン側の溝部２１Ａの一部を画成する仕切り板２２の面Ｓ４と第１の結合部材１３Ａの支柱体４１の面Ｓ１とが同一面を形成するようにサイズが設定されている。
【００４６】
第２の結合部材１３Ｂを図８〜１０を参照して説明する。この第２の結合部材１３Ｂは、図８に示すように、浴室の壁体の一部を支持するための支持体（ポスト部）４９と、略直方体状で所定厚さ及び所定長さを有する支柱体（ピラー部）５１と、この支柱体５１と支柱体４９とを相互に剛結する矩形板状の中間部材５０とを備える。この中間部材５０は、その取り付け状態における下端側及び上端部の高さが支柱体４９と同一に形成されている。
【００４７】
支柱体５１は、基部５１Ａと、この基部５１Ａの一方の表面Ｓ５（第１の当接面）の途中から直角に立ち上がる面Ｓ６（第２の当接面）を介して凸状に形成された膨張部５１Ｂと、支柱体５１の取り付け状態における基部５１Ａの下端部から突状に延設されたフランジ部５１Ｃと、支柱体５１の取り付け状態における上端部に凹んで形成された段差部５１Ｄとを一体に有する。なお、面Ｓ６は表面Ｓ５から鈍角の角度で立ち上がるようにしてもよい。フランジ部５１Ｃ（及び基部５１Ａ）の突設方向と膨張部５１Ｂの膨張方向（凸部方向）とは直交するように設定されている。
【００４８】
中間部材５０の上端部は、段差部５１Ｄの底面の一部を成している。この中間部材４０の位置には、組み付け時に浴室の壁体ＷＬを位置させる。このため、支持体４９は、壁体ＷＬの後ろ側に位置し、壁体ＷＬの奥に隠れるので、この壁体ＷＬの取り付けに使用される。
【００４９】
支持体４９は、略矩形状の板状部材で成るが、その取り付け状態における上端部にその板面方向に突き出し且つ支柱体５１よりも高く突き出した突き出し部３９Ａを有して一体に形成されている。支持体３９の板面方向は、フランジ部４１Ｃ（及び基板部４１Ａ）のそれとも直交している。
【００５０】
フランジ部５１Ｃの一部には、図８に示すように、その面が一部凹んだ凹部５１Ｃａが形成されている。この凹部５１Ｃａをネジにより防水パン１２の第１の土手部１２Ｂ１の壁面に固定することで、第２の結合部材１３Ｂが防水パン１２に結合される。
【００５１】
図８に示すように、この第２の結合部材１３Ｂの支柱体５１の底面及び接続部材５０の底面に掛けて水密部材ＬＢ３が貼り付けられている。また、支柱体５１の段差部５１Ｄ及び支持体４９の突き出し部４９Ａに掛けて水密部材ＬＢ４が貼り付けられている。
【００５２】
さらに、この第２の結合部材１３Ｂの軸方向の取り付け状態での上端部には、浴槽１１への取り付け用の金具５２が取り付けられている。
【００５３】
これに対して、防水パン１２の第１の土手部１２Ｂ１のもう一方の端部には、図８に示すように、第２の結合部材１３Ｂの底部の形状に合わせた切込み部５３が形成されている。このとき、第２の結合部材１３Ｂの下端部をかかる切込み部４３に差し込んだときに、図９に示すように、第１の土手部１２Ｂ１の立ち上がり部３２Ｂの面Ｓ３と、第２の結合部材１３Ｂの支柱体５１の面Ｓ５とが同一面を形成するように、それらのサイズが設定されている。
【００５４】
また、浴槽１１の第１のリム部１１Ａ１と第４のリム部１１Ａ４との間の角部には、取り付け用の金具５２を介して第２の結合部材１３Ｂの上端部が固設される（図９参照）。このとき、第１のリム部１１Ａ１に形成された防水パン側の溝部２１Ａの一部を画成する仕切り板２２の面Ｓ４と第２の結合部材１３Ｂの支柱体５１の面Ｓ５とが同一面を形成するように、それらのサイズが設定されている。
【００５５】
（バスエプロン）
バスエプロン１４は、所定厚さを有するＦＲＰなどの素材で形成された所定厚さで略矩形状の板体である。このバスエプロン１４の厚さは、第１及び第２の結合部材１３Ａ，１３Ｂの膨張部４１Ｂ，５１Ｂの高さに略一致させている。
【００５６】
さらに、バスエプロン１４の上端側の所定位置には、図４に示すように、その長手方向（取り付け時においてＺ軸方向）に沿って取手部１４Ａが形成されている。これと共に、バスエプロン１４の底面には、前述した防水パン１２の第１の土手部１２Ｂ１に設けた複数個のバネ３３の逆Ｖ字状面に合った略Ｖ字状の溝１４Ｂが形成されている。
【００５７】
さらに、このバスエプロン１４には、図１４（ａ），（ｂ）に概略示すように、その周囲を略２重に取り巻く水密手段が設けられている。一方の水密手段は、取り付け状態のおける浴槽１１側の外表面上１４Ａであって、その板厚方向に直交する４周の側面の端部近傍の位置に沿って矩形状に完全に一周して取り付けられた、ストリップ状の水密パッキン（ゴムパッキン）ＧＰ１で成る。もう一方の水密手段は、バスエプロンの板厚方向に直交する４周の側面のうちの、取り付け状態における上側面及び左右側面の３側面に沿って取り付けられた、ストリップ状の水密パッキン（ゴムパッキン）ＧＰ２で成る。これらの水密パッキンＧＰ１，ＧＰ２は、予めバスエプロン１４に取り付けられ、バスエプロン１４の開口部ＯＰへの取り付け時には、後述するように、浴槽１１及び防水パン１２に対して適度な押圧力で押し付けられて水密性能を発揮するようになっている。
【００５８】
さらに、バスエプロン１４の防水パン１２側の面には、略Ｌ字状の有底状のロック用溝１４Ｃが形成されている。このロック用溝１４Ｃには、後述する化粧板１６の端部に形成した端部が嵌合可能になっている。このため、バスユニット１の組付け時に、バスエプロン１４を装着した後、化粧板１６の端部がこのロック用溝１４Ｃに収まらないときには、バスエプロン１４の開口部ＯＰへの装着が不完全であることが分かるようになっている。この場合には、バスエプロン１４が所定の位置に収まるように装着作業をし直すことになる。
【００５９】
なお、このバスエプロン１４と防水パン１２の第１の土手部１２Ｂ１のレール状床面３２Ａとの間には、目地材４８が置かれる（図１６参照）。
【００６０】
（５．洗い場カウンタ、化粧板、及び給水配管部）
給水配管部１７は、図３に示すように、防水パン１２のＺ軸方向の一端部に一体形成された段差部１２Ａ２の位置に設けられる。つまり、この給水配管部１７は、防止パン１２の床面の一部を成す段差部１２Ａ２の所定位置に立設された外部の配管（給水配管及び給湯配管）に接続する接続部６１と、この接続部６１に接続された２本の浴室配管６２Ａ，６２Ｂ（給水用及び給湯用）と、この浴室配管６２Ａ，６２Ｂに接続された洗い場水栓６３と、及び浴室配管６２Ａ，６２Ｂからそれぞれ分岐した分岐配管６４Ａ，６４Ｂを備える。
【００６１】
このうち、洗い場水栓６３は浴室壁ＷＬの所定高さ位置に取り付けられる。この浴室壁ＷＬには、図１１に示すように、洗い場カウンタ１５を載置して保持する２つのカウンタ保持体６５，６６が取り付けられている。このカウンタ保持体６５，６６は共に、ストリップ状の金属プレートを折り曲げて、側面方向から見て直角三角形を成す構造を有する。このため、各カウンタ保持体６５（６６）の所定の一辺を浴室壁ＷＬに取り付けるとともに、その一辺と直交するもう一辺を洗い場カウンタ１５の保持に使用する。分岐配管６４Ａ、６４Ｂは一方のカウンタ保持体６５が作る３角形状の開口部を通して浴槽１１の側に送られる。このため、分岐配管６４Ａ，６４Ｂは、そのカウンタ保持体６５に係止される。
【００６２】
分岐配管６４Ａ，６４Ｂは、第１の結合部材１３Ａに形成した連通孔４３を通してバスエプロン１４との隣接位置を通過し、浴槽１１の側に至る。この分岐配管６４Ａ，６４Ｂは、第１の結合部材１１を通過後、立ち上がるように引き回されて浴槽水栓２５の下部に給水可能に接続されている。
【００６３】
この連通孔４３から浴槽水栓２５に至るまでの分岐配管６４Ａ，６４Ｂは、図１１，１２に示すように、水受け材としてのゴム製のチューブ６７により全体が被覆されている。このチューブ６７は、浴槽水栓２５の下端の配管結合部から第１の結合部材１３Ａの連通孔４３までを完全に被うので、仮に配管結合部に水漏れが生じたとしても、その水滴はチューブ６７の内部にしか漏れないようになっている。この水滴は、図１３に模式的に示すように、チューブ６７の内面と伝わって、第１の結合部材１３Ａの連通孔４３から防水パン１２の側に流れ出る。つまり、かかる水漏れによる水滴が浴槽１１の下側にそのまま流れ出て、建築構造体に掛かってしまうことが無いように施工される。
【００６４】
一方、洗い場カウンタ１５は、給水配管部１７、すなわち防止パン１２の段差部１２Ａ２に立設した接続部６１、浴室配管６２Ａ，６２Ｂ、分岐配管６４Ａ，６４Ｂを被うようにカウンタ保持体６５，６６の上に着脱自在に配設される。この洗い場カウンタ１５はその一方の端部、すなわち浴槽１１の側に位置する端部は図１１から分かるように滑らかに湾曲しながら立ち上がる湾曲部（傾斜面）１５Ａを形成している。この湾曲部１５の立ち上がり高さは、浴槽１１の第１のリム部１１Ａ１の縁に滑らかに連なることが可能な値に設定されている。このため、バスエプロン１４の着脱の際、洗い場カウンタ１５が邪魔になって着脱を行なうことができないといった不都合が発生しないようになっている。また、この湾曲部１５Ａを形成することにより、浴槽１１の縁から洗い場カウンタ１５に段差を経て移行するタイプのものと比べて、意匠性が良くなっている。
【００６５】
化粧板１６は、その浴槽側に位置させる端部は手前側に湾曲した湾曲部１６Ａ（図２参照）を有し、残りの部分は直線板状に形成されている。湾曲部１６Ａには、バスエプロン１４のロック用溝１４Ｃに嵌合可能な突起体１６Ａａが一体に形成されている。この化粧板１６は、図１に示す如く、洗い場カウンタ１５の下面に着脱自在に垂設され、洗い場カウンタ１５と協働して給水配管部１７を略直方体状に被うように取り付けられる。具体的には、化粧板１６の上端部が洗い場カウンタ１５のＺ軸方向の所定位置に設けた溝部（図示せず）に嵌合し、且つ、その下端部が段差部１２Ａ２の所定対向位置に設置した複数のバネ６８（図３，５参照）に嵌合できるようになっている。このため、洗い場カウンタ１５を取り付け、さらにバスエプロン１４を取り付けた後で、化粧板１６を取り付けることで、化粧板１６の裏側に給水配管部１７を隠すことができ、意匠性に優れたものになる。
【００６６】
（組み付け作業）
ここで、上述したバスユニット１を現場で組み付けるための作業者による作業工程を説明する。なお、全てのコンポーネントは別体として一般家庭の戸建住宅や集合住宅などの現場に搬入されるものとする。
【００６７】
最初に、建築構造物上に設置された高さ調節用可能な支持架台ＳＰに防水パン１２が置かれ、支持架台ＳＰの高さ調整がなされる。次いで、防水パン１２の隣に浴槽１１が配置される。この浴槽１１も支持架台ＳＰ上に配置して高さ調整に付される。
【００６８】
次いで、浴槽１１と防水パン１２の両者の一辺側の両端部を第１及び第２の結合部材１３Ａ、１３Ｂで相互に結合する。これにより、最初から枠体を用いずとも、浴槽１１及び防水パン１２の双方のリム部並びに第１及び第２の結合部材との間で矩形状の大きな開口部ＯＰを有する枠状部分が形成される。
【００６９】
これが終ると、浴槽１１及び防水パン１２の周囲に浴室を画成する壁体を水密に建て付けるとともに、防水パン１２の段差部１２Ａ２の接続部６１から洗い場水栓６３及び浴槽水栓２５に至る配管を行う。このとき、浴槽側に出ている分岐配管６４Ａ，６４Ｂの部分には、水受け材としてのゴム製のチューブ６７を取り付ける。この配管作業は、大きな開口部ＯＰを使うことできるので、能率良く行なうことができる。
【００７０】
次いで、洗い場カウンタ１５を被せてから、バスエプロン１４の一方の外表面１４Ａを浴槽１１の側にして、上述した枠状部分にバスエプロン１４を、開口部ＯＰを塞ぐように嵌め込む。このバスエプロン１４と枠状部分との間、すなわち浴槽１１及び防水パン１２は、浴槽１１の外側のスペースから、確実な水密性の仕切りで仕切られることになる。
【００７１】
ここで、図１５、１６を参照して、この枠状部分をその止水ラインと共に詳述する。バスユニット１の組付けに際し、第１及び第２の結合部材１３Ａ，１３Ｂで浴槽１１及び防止パン１２を相互に結合すると、防水パン１２の第１の土手部１２Ｂ１のレール状面３２Ａが浴槽１１の第１のリム部１１Ａの下向き溝部２１Ａに相対するように浴槽１１及び防水パン１２が位置決めされる。
【００７２】
この結果、図１５のクロスハッチングの領域として示すように、浴槽１１の防水パン側の第１のリム部１１Ａ１の仕切り板２２の面Ｓ４、防水パン１２の浴槽側の第１の土手部１２Ｂ１の経ち上がり部３２Ｂの面Ｓ３、及び両サイドに位置するピラーとしての第１及び第２の結合部材１３Ａ、１３Ｂの支柱体４１，５１の面Ｓ１，Ｓ５の合計４つの面が矩形状の開口部ＯＰを画成し、かつ、それらの４面の面位置（面の高さ）が一致する。つまり、これにより、分割されていた浴槽１１及び防水パン１２をそれぞれ所定位置に位置させながら相互に結合するとともに、４面を呈する部材（２２、３２Ｂ、４１及び５１）により矩形状の枠状部分が形成され、矩形状の大きな開口部ＯＰが形成される。この大きな開口部ＯＰは、施工や保守のときの作業用に使用される。
【００７３】
そこで、取手部１４Ａを掴んでバスエプロン１４を持ち上げ、その一方の外表面１４Ａ（図１４（ａ），（ｂ）参照）を浴槽１１の側に向けながら、当該バスエプロン１４の上端部を両サイドの第１及び第２の結合部材１３Ａ，１３Ｂの間の位置に持っていき、そのまま浴槽１１の第１のリム部１１Ａ１の溝２１Ａに差し込みながら、その下端部を防水パン１２の第１の土手部１２Ｂ１のレール状床面３２Ａの位置に押し込む。この押し込みのときに、レール状床面３２Ａの上側に突出するように設けられているバネ３３の下向きＶ字状面を、バスエプロン１４の下端面の先頭部が乗り越えられるように、同バスエプロン１４を少し上に押圧する。これにより、バスエプロン１４の下端面の下向きＶ字状の凹部１４Ｂと複数のバネ３３それぞれの下向きＶ字状面とが嵌合し、且つ、バネ３３のバネ力によりロックされる（図１６参照）。
【００７４】
各バネ３３の基部３３Ａはレール状床面３２Ａから垂直に立ち上がっている面３２Ｂに取り付けられているため、その基部３３Ａと逆Ｖ字状のブレード部との間に上向き（基部に平行な上方向）及び横向き（基部に向いた方向の成分が合成された斜め方向に向かうバネ力Ｆ１、Ｆ２が作用する。このため、バスエプロン１４にも上向き（Ｙ軸方向）と浴槽向き（Ｘ軸方向）の押圧力が加わる（図１６中の矢印Ａ１〜Ａ３参照）。つまり、バスエプロン１４は上述した４面を呈する枠状部材（２２、３２Ｂ、４１及び５１）に収まり且つ一定の押圧力で押し付けられる。
【００７５】
このため、４面Ｓ１，Ｓ３，Ｓ４，Ｓ５を呈する枠状部材（２２、３２Ｂ、４１及び５１）とバスエプロン１４との間で、一方の水密パッキンＧＰ２が浴槽向きに押圧され、その全周（１周分）で止水性を発揮する。さらに、もう一方の水密パッキンＧＰ１のうち、バスエプロン１４の上端面に位置する部分は上向きに押圧されて止水性を発揮する。この水密パッキンＧＰ１のうち、残りのバスエプロン１４の両サイドに位置する部分は、Ｚ軸方向におけるバスエプロン１４のサイズ及び第１、第２の結合部材１３Ａ，１３Ｂの距離のクリアランスを適宜に設計することにより、バスエプロン１４を装着するときの嵌合具合によって両サイドの方向に押圧されるようになっている。
【００７６】
この結果、図１５に太い実線ＷＳ１、ＷＳ２で示すように、バスエプロン１４を開口部ＯＰに装着するだけで、枠状部材（２２、３２Ｂ、４１及び５１）とバスエプロン１４との間で略２重の止水ラインＷＳ１，ＷＳ２が形成される。なお、図１５におけるＬＢ１〜ＬＢ４は、第１及び第２の結合部材１３Ａ，１３Ｂに予め装着されており、浴槽１１及び防水パン１２を相互に結合するときに、それらのコンポーネントとの間に介挿されて別の止水ラインを形成する水密パッキンである。
【００７７】
上述した止水ラインＷＳ１，ＷＳ２のうち、一方の止水ラインＷＳ１は、枠状部材（２２、３２Ｂ、４１及び５１）の内側寄りの位置を完全に一周し、もう一方の止水ラインＷＳ２は、その止水ラインＷＳ１よりも外側の位置を３／４周（すなわち、上側と左右を周回）している。この略２重の止水ラインＷＳ１、ＷＳ２により、確実な止水性能が発揮される。とくに、浴槽１１から溢れる水がバスエプロン１４の上部や左右の縁を伝わって入り込もうとしても、外側に位置する３／４周の止水ラインＷＳ２が在るため、これに確実にブロックされる。このため、この止水ラインＷＳ２が、その内側に位置するもう一方の止水ラインＷＳ１と協働して止水性能を格段にアップさせ、確実な止水性が得られる。
【００７８】
なお、バスエプロン１４の浴槽側面の下端に位置する立ち上がり部３２Ｃは、仮にバスエプロン１４の上側からの水分の沁み出しがあっても、これを一時的に受け止めて自然乾燥可能になっている。これにより、バスエプロン１４の上部からの水滴に対しては、止水ラインＷＳ１，ＷＳ２のほかに第３の止水手段が設置されることとなり、極めて高い止水性が発揮される。
【００７９】
最後に、化粧板１６を洗い場カウンタ１５の足元に嵌め込む。この嵌め込みのとき、バスエプロン１４が所定位置に嵌め込まれていないときには、そのロック用溝１４Ｃに化粧板１６の端部の突起体１６Ａａを嵌合できない。これにより、作業者は、バスエプロン１４の嵌め込みが所定位置で確実に行なわれていないということを容易に認識できるので、バスエプロン１４の嵌め込みをやり直すことになる。バスエプロン１４が所定位置に嵌め込まれている場合、すなわち、バスエプロン１４の枠状部分との水密性が十分に確保されている場合、化粧板１６を洗い場カウンタ１５の足元に嵌め込むことができる。これにより、不用意な施工を排除して漏水事故などが起こる事態を、未然に且つ確実に防止することができる。また、このロック機構により、バスエプロン１４に掛かる荷重を化粧板１６の側にも一部負担させることができるので、バスエプロン１４の耐加重性能もアップさせることもできる。
【００８０】
（効果）
本実施形態に係るバスユニット１は以上のように構成されて機能することから、様々な利点を享受することができる。
【００８１】
まず、基本的に、浴槽、バスエプロン、及び洗い場用防水パンを３分割構造としたため、主要なコンポーネントをそれぞれ別体として現場に搬入して組み付けることができる。また、従来の分割方式（例えば、前述した特許文献１に記載の浴室ユニット）のように、浴槽及び洗い場用防水パンを結合する結合フレーム、この結合フレームにより形成される開口部を閉じる蓋体、及び浴槽遮蔽エプロンといった多数の大形の製造コストの高いコンポーネントが不要になり、単に、左右両端部に立設する一対の結合部材１３Ａ，１３Ｂとバスエプロン１４が有ればよい。
【００８２】
この結合部材とバスエプロンを用いた簡素な構成でありながら、浴槽１１と洗い場用防水パン１２をその両端部で相互に所定位置で結合でき、この結合により大きな開口部ＯＰを画成して施工や保守のときの作業性をアップさせることができる。
【００８３】
特に、点検や保守が必要なときは、バスエプロン１４をいつでも外すことができる。この場合、バスエプロン１４の下部に置いてある目地材４８を引き出した後、バスエプロン１４の底面に手を掛けて少し上に持ち上げるようにしながら手前に静かに引けばよい。これにより、再び、大きな開口部ＯＰが現われるので、この開口部ＯＰを通して必要な作業を行なうことができる。
【００８４】
また、大形のコンポーネントが少なくなったため、浴槽１１、防水パン１２、及びバスエプロン１４の表面色や製法を適宜変更して、商品群の多様化と意匠性のアップを図ることも容易になる。
【００８５】
加えて、結合部材１３Ａ，１３Ｂを用いた結合により、バスエプロン１４を嵌め込む枠状部分を形成して、バスエプロン１４を簡単に且つ着脱自在に水密状態で取り付けることができる。
【００８６】
このように、施工作業や保守点検のための開口部を大きく採ることができ、確実な水密性を確保でき、防水パンとバスエプロンが仕切られていることに拠る高級感もある。
【００８７】
さらには、上述した従来の分割方式のような大形のコンポーネントを少なくし且つコンポーネントの点数を少なくしていることから、使用材料の量を削減できることとも相俟って、コンポーネント自体の製造コストを低減させることができ、強いては、バスユニット１の販売価格を下げることもできる。
【００８８】
さらには、上述した従来の分割方式に比べて、小形のコンポーネントが増えることから、保管、運搬、搬入、組み付けなど施工完了までのあらゆる工程で取り扱い易くなり、作業者の作業能率も著しくアップ可能になる。
【００８９】
また、３分割構造に係るバスユニット１であっても、従来の非分割タイプのものと同様に洗い場付き浴槽の機能を実現できるので、主要コンポーネントを別体として搬入できることのメリットは殊更大きい。特に、戸建住宅や集合住宅のように狭い通路を通って浴室の位置までコンポーネントを運搬できること、及び、現場において浴室のドアからコンポーネントを搬入できることにより、作業コストを大きく低減可能になる。
【００９０】
さらに、小形化によって、製造方法のオプションも広がり、より安価に製造することも可能になる。
【００９１】
また、本実施形態にあっては、バスエプロン１４の装着に際し、図１６からも分かるように、バネ部材３３の押圧力を利用して水密パッキンに圧力を加えて若干変形させだけの簡単な構造で水密性を確保できる。これにより、水密性を確保するための構造が極めて簡単になる。
【００９２】
さらに、図１４，１５に示したように、略２重の止水ラインＷＳ１，ＷＳ２により確実な水密性能を発揮できることに加え、止水ラインＷＳ１，ＷＳ２を成す水密パッキンＧＰ１，ＧＰ２をバスエプロン１４の異なる面上に装着させたことによる効果がある。すなわち、水密パッキンＧＰ１，ＧＰ２を２本共、バスエプロン１４の浴槽側の外表面１４Ａのみに配置した場合、バスエプロン１４を取り付けたときの反発力が大きくなり、今度は、より大きな押圧力でバスエプロン１４を押えつける必要が出てくる。そのような事態に至ると、バネ３３の大形化が必要になる。反対に、バネ３３の押圧力が弱いと、水密パッキンに対する押さえ付け量が不足して水密性が低下する。これに対して、本実施形態のように、２重の水密パッキンＧＰ１，ＧＰ２をバスエプロン１４の異なる面（一方の外表面１４Ａとそれに連なる両側面及び上面の３面から成る面との二つ面部）に分散して装着すると、水密パッキンからの反発力を抑えつつ確実な水密性を確保でき、バネ３３のサイズ及び押圧性能、確実な水密性能、バスエプロンの発生する応力に因る破損などの回避の観点でバランスのとれた設計が可能になる。
【００９３】
上述した基本的な作用効果の他に、本実施形態では更に様々な特徴がある。
【００９４】
例えば、入浴者がバスタブに腰を下ろすなどして、バスエプロン１４に下向きの加重がかかった場合、バネ３３の変形により、バスエプロン１４に止水性を保持した範囲内である程度の下向きの変形を許容できる。これにより、バスエプロン１４と浴槽１１及び防水パン１２とが完全な剛体として結合されてしまうことを防止でき、若干の弾性変形により加重を支えることができる。
【００９５】
このとき、バスエプロン１４と防水パン１２の第１の土手部１２Ｂ１のレール状床面３２Ａとの間には、目地材４８が置かれる（図１６参照）。このため、バスエプロン１４の変形が大きくなろうとすると、バスエプロン１４は、この目地材４８からの反発力を受ける。このため、バネ３３からバスエプロン１４が外れてしまうことを阻止できる。すなわち、バネ３３のロック機能の弱体化を阻止できる。
【００９６】
また、目地材４８を配置することで、かかる隙間にごみなどが溜まることを防止できるし、また美観上の体裁もよい。
【００９７】
さらに、第１及び第２の結合部材１３Ａ，１３Ｂに形成した第１の当接面Ｓ１及び第２の当接面Ｓ２（図５参照）との成す角度を直角又は鈍角としている。とくに、所定の鈍角な角度にすることによって、バスエプロン１４を開口部ＯＰに装着するときに、側面の水密パッキンＧＰ２がよじれて切断してしまうといった可能性を極めて低くすることができる。なお、この鈍角にする構造は、第１及び第２の結合部材１３Ａ，１３Ｂのうちの一方にのみ実施するようにしてもよい。
【００９８】
一方、１対の結合部材１３Ａ，１３Ｂのそれぞれは、枠部の一部を成す面を呈する支柱体（ピラー部）４１（５１）と、この支柱体４１（５１）に結合し且つ浴室の壁体ＷＬの支持に供する支持体（ポスト部）３９（４９）とを有し、支柱体４１（５１）は、壁体ＷＬに対して支持体３９（４９）よりも遠い位置に在る。このため、中間部材４０（５０）の位置に壁体ＷＬを建て付け、この壁体ＷＬと支柱体（ピラー部）４１（５１）との間をコーキングするときに、コーキングが乾くまで待たなくてもバスエプロン１４を取り付けることができ、作業の迅速化を図ることができる。
【００９９】
さらに、支柱体（ピラー部）４１（５１）は、バスエプロン１４が取り付けられた状態にて、当該バスエプロン１４と壁体ＷＬとの間に双方に密着して位置する。このため、支柱体４１（５１）が露出する面積を極力小さくすることができ、意匠性に優れたものになる。
【０１００】
また、結合部材１３Ａ，１３Ｂの装着時の位置決め及びこれに付随して以下のような効果も得られる。
【０１０１】
１対の結合部材１３Ａ，１３Ｂのそれぞれが有する支柱体４１（５１）は、その軸方向からみて略Ｌ字状に形成された底面を有する。このため、支柱体４１（５１）を防水パン１２の平坦な設置面、すなわち、切り込み部４４（５３）の面に置くだけで、特別な施工をせずとも、結合部材１３Ａ（１３Ｂ）を垂直に立てることができる。これにより、浴槽１１と防水パン１２を容易に且つ確実に結合させることができる。また、この結合部材１３Ａ，１３Ｂが小形であるため、バスユニット全体の小形・軽量化及びコストダウンを図ることができる。さらに、この結合部材１３Ａ，１３Ｂの小形化によって、点検口としての機能させる開口部ＯＰの面積を大きく採ることができ、点検作業が容易になるとともに、結合部材が外観として露出する面積を極力小さく抑えることができ、意匠性を高めることができる。
【０１０２】
また、結合部材１３Ａ，１３Ｂは、それぞれ、枠部の一部を成す面を呈する支柱体４１（５１）と、浴室の壁ＷＬの支持に供する支持体３９（４９）と、この支持体３９（４９）と支柱体４１（５１）とを接続する略矩形状で板状の中間部材４０（５０）とを備えたので、そのままで支持体３９（４９）と支柱体４１（５１）とが互いに平行になっている。このため、支柱体４１（５１）を所定位置（切り込み部４４（５３）の面）に置くだけで、支柱体４１（５１）が床面に対して垂直になり、且つ、支柱体４１（５１）及び支持体３９（４９）が中間部材４０（５０）の位置に配置される壁体ＷＬに対して平行に位置決めされる。これにより、浴槽１１及び防水パン１２の結合並びに壁体ＷＬの組み付けに要する作業が容易化される。
【０１０３】
また、本実施形態のバスユニット１にあっては、洗い場用防水パン１２の側から浴槽１１の側への配管を、第１の結合部材１３Ａに形成した連通孔４３を通している。このため、結合部材１３Ａに配管保持の機能を持たせることができ、配管を効率良く引き回すことができ、更には、配管をバスユニット１内に置くことができるという利点がある。とくに、この配管をバスユニット１内に、すなわち浴室内に置くことで、配管の施工や点検を全て浴室内で済ますことができる。このことに拠り、作業能率は大幅にアップする。さらに、かかる配管の配置に拠って、洗い場カウンタ１５の下に位置する配管部分から水漏れがあっても、その水は洗い場用防水パン１２で受けることから、漏水によって建築構造物に被害を与えることも無い。
【０１０４】
加えて、浴槽１１の側に位置する配管の部分は水受け材としてのチューブ６７で覆われているため、浴槽水栓２５の取り付け部分やその取り付け部分に接続される配管部分から漏水があった場合でも、その水をチューブ６７を介して洗い場防水パン１２に確実に回収することができる。これにより、浴槽１１の下の建築構造物に水漏れの被害を与えることも無く、また防止パンを浴槽１１の下に置く必要もない。かかる水漏れに対しては、バスエプロン１４を取り外して、その開口部ＯＰから簡単に点検することができる。
【０１０５】
一方、洗い場用防水パン１２の配管部分は洗い場カウンタ及び化粧板で被っているので、防水パン１２の配管接続部や第１の結合部材１３Ａの連通孔をシャワーなどの散水から殆ど確実に保護することができ、防水性能を劣化防止に有効である。また、カウンタ部分の見栄えが意匠的にも良くなる。
【０１０６】
なお、本発明は上述した実施形態の構成に限定されるものではなく、特許請求の範囲に要旨に基づき、さらに種々の形態に変形可能なことは勿論である。
【図面の簡単な説明】
【０１０７】
【図１】本発明の一実施形態に係るバスユニットの外観斜視図。
【図２】バスユニットの主要コンポーネントを分解して示す分解斜視図。
【図３】バスユニットの洗い場用防水パンの一端部に設置する給水配管部の概要を主に説明する斜視図。
【図４】取り付けた状態におけるバスエプロンの断面構造を主に示す縦断面図。
【図５】取り外した状態における第１の結合部材と浴槽及び洗い場用防止パンの土手部とを示す斜視図。
【図６】第１の結合部材で浴槽及び洗い場用防止パンの土手部を相互に結合した状態を示す斜視図。
【図７】取り付けた状態における第１の結合部材の横断面図。
【図８】取り外した状態における第２の結合部材と浴槽及び洗い場用防止パンの土手部とを示す斜視図。
【図９】第２の結合部材で浴槽及び洗い場用防止パンの土手部を相互に結合した状態を示す斜視図。
【図１０】取り付けた状態における第１の結合部材の横断面図。
【図１１】給水配管部の配管構造を示す斜視図。
【図１２】給水配管部における、浴槽側に配置された水受け材としてのチューブの取り付け状態を示す斜視図。
【図１３】水受け材としてのチューブの漏水に対する導水機能を説明する説明図。
【図１４】（a）はバスエプロンに装着した水密部材を示す斜視図、及び、（ｂ）は同図（a）のＩＩ−ＩＩ線に沿った断面図。
【図１５】バスエプロンを開口部に装着したときに生成される止水ラインの説明図。
【図１６】防水パンの土手部に設けたバネによるバスエプロンに印加される押圧力と止水性能との関係を説明する図。
【符号の説明】
【０１０８】
１  バスユニット
１１  浴槽
１１Ａ１  浴槽の１面側のリム部
１２  洗い場用防水パン
１２Ｂ１  洗い場用防水パンの１面側の土手部
１３Ａ、１３Ｂ  第１及び第２の結合部材
１４  バスエプロン
１４Ａ  バスエプロンの一方の外表面
１４Ｃ  ロック用溝
１５  洗い場カウンタ
１５Ａ  傾斜部
１６  化粧板
１６Ａａ  ロック用端部
２２  仕切り板
３９  支持体
４０  中間部材
４１  支柱体
４８  目地材
４９  支持体
５０  中間部材
５１  支柱体
ＬＢ１〜ＬＢ４  水密パッキン
ＧＰ１、ＧＰ２  水密パッキン
ＳＷ１、ＳＷ２  止水ライン
Ｓ１、Ｓ３、Ｓ４、Ｓ５  開口部を画成する同一高さの面
Ｓ１、Ｓ５  第１の当接面
Ｓ２、Ｓ６  第２の当接面
ＷＬ  浴室の壁体
【図１】
2005296359.tif 000003
【図２】
2005296359.tif 000004
【図３】
2005296359.tif 000005
【図４】
2005296359.tif 000006
【図５】
2005296359.tif 000007
【図６】
2005296359.tif 000008
【図７】
2005296359.tif 000009
【図８】
2005296359.tif 000010
【図９】
2005296359.tif 000011
【図１０】
2005296359.tif 000012
【図１１】
2005296359.tif 000013
【図１２】
2005296359.tif 000014
【図１３】
2005296359.tif 000015
【図１４】
2005296359.tif 000016
【図１５】
2005296359.tif 000017
【図１６】
2005296359.tif 000018
【手続補正書】
【提出日】平成16年4月21日(2004.4.21)
【手続補正１】
【補正対象書類名】特許請求の範囲
【補正対象項目名】全文
【補正方法】変更
【補正の内容】
【特許請求の範囲】
【請求項１】
上端縁にリム部が形成された浴槽と、
この浴槽の一側面に隣接して配置され且つ土手部が形成された洗い場用防水パンと、
前記浴槽のリム部と前記防水パンの土手部とを前記一側面の長手方向における両端部それぞれにて水密に結合するための所定長さの１対の結合部材と、
前記浴槽の前記一側面の側に前記１対の結合部材、前記浴槽のリム部、及び前記防水パンの土手部から成る枠部により画成される矩形状の開口部を水密に閉塞する着脱自在な板状のバスエプロンと、を備えたことを特徴とするユニットバス。
【請求項２】
前記枠部は、前記１対の結合部材、前記浴槽のリム部、及び前記防水パンの土手部が提供する４面から成る面一の枠状面を有し、
前記バスエプロンは、前記枠状の面に当接可能な同一高さの表面を有し、
前記バスエプロンの前記枠部への取り付け時に、前記枠部の枠状面と前記バスエプロンの表面との間に介在させる水密部材を備えたことを特徴とする請求項１に記載のユニットバス。
【請求項３】
前記水密部材は、前記バスエプロンに予め装着されていることを特徴とする請求項２に記載のユニットバス。
【請求項４】
前記水密部材は、前記バスエプロンの取り付け状態における当該バスエプロンの前記浴槽側の表面のうちの端部寄りの位置を一周する水密性パッキンであることを特徴とする請求項３に記載のユニットバス。
【請求項５】
前記バスエプロンを介して前記水密部材を前記浴槽の側に押圧する押圧手段を備えたことを特徴とする請求項２〜４の何れか一項に記載のユニットバス。
【請求項６】
前記浴槽のリム部は、前記長手方向に沿って下向きに開口させた溝部を有し、
前記バスエプロンは、当該バスエプロンの上端面にその長手方向に沿って連続するように設けた水密部材を有し、
前記バスエプロンの上端部を前記溝部にその下側から嵌め込み、当該バスエプロンの上端面を、前記水密部材を介して前記浴槽の溝部に当接させるようにして当該バスエプロンを取り付けるようにしたことを特徴とする請求項５に記載のユニットバス。
【請求項７】
前記押圧手段は、前記洗い場用防水パンの前記土手部の立ち上がり部に設けられるとともに、前記バスエプロンの底面に当該バスエプロンの板面方向及び板圧方向にそれぞれ力を加えるバネ部材であることを特徴とする請求項６に記載のユニットバス。
【請求項８】
前記１対の結合部材のそれぞれは、前記枠部の一部を成す面を呈するピラー部と、このピラー部に結合し且つ浴室の壁の支持に供するポスト部とを有し、
前記ピラー部は、前記長手方向において前記壁に対して前記ポスト部よりも遠い位置に在ることを特徴とする請求項１に記載のユニットバス。
【請求項９】
前記ピラー部は、前記バスエプロンが取り付けられた状態にて当該バスエプロンと前記壁との間に双方に密着して位置することを特徴とする請求項８に記載のユニットバス。
【請求項１０】
前記１対の結合部材のそれぞれは、前記枠部の一部を成す面を呈するピラー部を有し、このピラー部はその軸方向からみて略Ｌ字状に形成された底面を有することを特徴とする請求項１に記載のユニットバス。
【請求項１１】
前記１対の結合部材のそれぞれは、前記枠部の一部を成す面を呈するピラー部と、浴室の壁の支持に供するポスト部と、このポスト部と前記ピラー部とを接続する略矩形状で板状の中間部材とを備えたことを特徴とする請求項１０に記載のユニットバス。
【手続補正２】
【補正対象書類名】明細書
【補正対象項目名】全文
【補正方法】変更
【補正の内容】
【発明の詳細な説明】
【技術分野】
【０００１】
本発明は、一般家庭などの浴室として用いられるユニットバス（「浴室ユニット」とも呼ばれる）に関し、とくに、浴槽、洗い場用防水パン、及びバスエプロンをそれぞれ別体として現場に搬入し、それらのコンポーネントを現場にて一体に組み付けるタイプのユニットバスに関する。
【背景技術】
【０００２】
一般家庭で使用されるユニットバスには種々のタイプのものがあり、浴槽と洗い場とが互いに隣接して設置されるタイプのものが主流となっている。
【０００３】
このユニットバスには、（Ｉ）：浴槽と洗い場とを最初から一体に成形し、その一体のまま現場に搬入して施工するタイプのもの、（II）：浴槽とバスエプロン付きの洗い場用防水パンとを別体として成形し、施工時に双方を一体に組み付けるタイプのもの、更には、（III）：浴槽、洗い場用防水パン、バスエプロン、及びバスエプロン用の枠体などの主要はコンポーネントをそれぞれ別体として成形して現場に搬入し、現場にて一体に組み付ける分割タイプのものなどがある。
【０００４】
各タイプのユニットバスそれぞれに長所はあるが、現場への搬入性、現場での施工や保守の容易性、更にはユーザの高級感に対する満足度の点から、上述した（III）の分割タイプのユニットバスに対する要求は依然として高いものがある。
【０００５】
上述した（III）の分割タイプのユニットバスの一例として、特許文献１に記載のユニットバス（同文献の発明の名称は「洗い場付きユニットバス」）の構造が知られている。このユニットバスは、浴槽、洗い場用防水パン、矩形枠状の立装連結フレーム、及び浴槽遮蔽板部（開口部用閉蓋、エプロン）を分割した複数のコンポーネントとして備える。このユニットバスの組み付け時には、立装連結フレームを用いて浴槽のフランジ部の一辺と防水パンの土手部の一辺とをビスやボルトで相互に連結する。これにより、浴槽と洗い場用防水パンとが連結に結合されるとともに、立装結合フレームで画成されて作業用開口部が形成される。この作業用開口部には浴槽遮蔽板部が着脱自在に取り付けられる。この作業用開口部を介して施工作業や保守作業を能率良く行なうことができる。
【特許文献１】特開２００３−１１１６８７号公報
【発明の開示】
【発明が解決しようとする課題】
【０００６】
しかしながら、上述した特許文献１に記載のユニットバスの場合、浴槽及び洗い場用防水パンのほかに、この両者を相互に段違い状態で連結する連結フレーム、この連結フレームにより形成される開口部を閉じる閉蓋及びエプロンといった多数のコンポーネントが必要であることから、その分、製造コストが高くなる。また、連結フレーム、閉蓋、及びエプロンが何れも大きな矩形状又は矩形枠状であることから、建築中の家屋の狭い廊下を通って浴室部分に搬入する場合などに、その搬入性が問題になる。
【０００７】
さらに、上述したように、開口部は矩形状で大きく形成されることから、浴槽側への水漏れ防止構造もその分、大掛かりになる。これを詳述すれば、矩形枠状の連結フレームと浴槽及び洗い場用防水パンの土手部とを、当該連結フレームの上下２辺の長い範囲に渡って水密に組み付け、さらに、この連結フレームに閉蓋を、その矩形状の枠部分全周に沿って水密に組み付ける必要がある。すなわち、水密パッキンなどで水密性を確保しなければならない距離が最低でも、連結フレームの全周の距離のおよそ２倍になる。このため、水密部分の距離が長いので、止水性の低下に対する懸念は大きい。
【０００８】
また、この特許文献１に代表されるユニットバスの場合、建築構造物（建築土台、床面など）の上に高さ調節用可能な支持架台を直接設置し、この支持架台の上に浴槽を設置することが殆どである。このため、洗い場側と浴槽側とを繋ぐ配管に水漏れが発生した場合、この水漏れは直接、建築構造物に伝わるので、湿気などの因る傷みやカビなどの被害を与えてしまう恐れがある。仮に、浴槽の下側に防水パンを置くとしても、清掃の困難さを考慮すると、水漏れは禁物である。
【０００９】
本発明は、このような従来の分割タイプのユニットバスが直面する状況に鑑みてなされたもので、浴槽と洗い場用防水パンをより簡素な構造ながら高い止水性を保持して相互に結合でき、現場への搬入性に優れ、且つ、より安価に製造販売することができる分割タイプのユニットバスを提供することを、その目的とする。
【課題を解決するための手段】
【００１０】
上記目的を達成するため、本発明に係るユニットバスは、その主要な態様として、上端縁にリム部が形成された浴槽と、この浴槽の一側面に隣接して配置され且つ土手部が形成された洗い場用防水パンと、前記浴槽のリム部と前記防水パンの土手部とを前記一側面の長手方向における両端部それぞれにて水密に結合するための所定長さの１対の結合部材と、前記浴槽の前記一側面の側に前記１対の結合部材、前記浴槽のリム部、及び前記防水パンの土手部から成る枠部により画成される矩形状の開口部を水密に閉塞する着脱自在な板状のバスエプロンと、を備えたことを特徴とする。
【発明の効果】
【００１１】
本発明に係るユニットバスによれば、主要なコンポーネントとしての浴槽、洗い場用防水パン、１対の結合部材、及びバスエプロンがそれぞれ分割して製造・出荷される。これらのコンポーネントは分割されたまま、別体として現場に搬入され、現場にて一体に組みつけられて、浴槽と洗い場とが互いに隣接して設置されたユニットバスとして提供される。
【００１２】
浴槽と洗い場用防水パンの結合は、浴槽の一側面に位置するリム部と防水パンの一側面に位置する土手部とを互いに対向させ、その対向部分の長手方向の両端部にて、１対の結合部材を介して相互に水密に結合される。この結合部材は、かかる両端部において立設されて、浴槽のリム部と洗い場用防水パンの土手部とを上下に結合するピラー部材である。このため、結合部材はサイズ的に小さくて済む。
【００１３】
この１対の結合部材で浴槽のリム部と防水パンの土手部とを相互に結合することで、１対の結合部材、浴槽のリム部、及び防水パンの土手部により開口部が画成される。このため、この開口部をバスエプロンで着脱自在に且つ水密に閉塞することにより、別体としての浴槽と防水パンとを機能上、一体化することができる。
【００１４】
このように、浴槽と洗い場用防水パンとを現場にて一体化するのに必要な部材は、ピラー状の１対の結合部材で足りる。また、結合部材に関して水密手段が必要になる部分は、各結合部材の上下の端部とバスエプロンが開口部に当接する周回部分のみで足りる。
【００１５】
したがって、より簡素な構造でありながら、浴槽と洗い場用防水パンとを高い止水性を保持して互いに結合できる。また、主要なコンポーネントの数が少なくなるとともに、従来のように予めバスエプロンと洗い場用防水パンが一体化されたような大形のコンポーネントを搬入しなくても済むので、搬入性も良くなる。さらに、従来のような連結フレームなど、大形の結合部材を使用しなくても済むので、製造コストを抑制できる。したがって、製造から販売までに要する製造販売コストに関して、より安価な分割タイプのユニットバスを提供することができる。
【発明を実施するための最良の形態】
【００１６】
以下、添付図面を参照して、本発明に係るユニットバスの１つの実施形態を説明する。
図１に、この実施形態に係るユニットバスの全体の外観（組付け後の外観）を示し、図２に、このユニットバスの主要コンポーネントを分解した状態（組付け前）の外観を示す。
【００１７】
最初に、このユニットバスの主要コンポーネントを中心とする概要を説明する。
【００１８】
図１及び図２に示すように、ユニットバス１は、その主要コンポーネントの一部として、浴槽１１と、この浴槽１１に隣接して設置される洗い場用防水パン１２（以下、防水パン１２と呼ぶ）、この防水パン１２と浴槽１１とを着脱自在に結合する１対の結合部材１３Ａ，１３Ｂと、この結合部材１３Ａ，１３Ｂ、浴槽１１の防水パン側（一側面側）のリム部１１Ａ１、及び防水パン１２の浴槽側（一側面側）の土手部１２Ｂ１により画成される矩形状の開口部ＯＰ（図２参照）を着脱自在に且つ止水性を保持して閉塞するバスエプロン１４とを備える。浴槽１１、防水パン１２、及び結合部材１３Ａ，１３Ｂは共に、一例としてＦＲＰ（繊維強化プラスチック）で形成される。浴槽１１及び防水パン１２は、建築構造物（例えばコンクリート床）上に置かれた高さ調節用可能な支持架台ＳＰにより支持されている。
【００１９】
ここで、説明の便宜のため、浴槽１１（及び洗い場用防水パン１２）の長手方向をＺ軸とする直交座標系を設定する。この長手方向は、本実施形態にあっては、浴槽１１の一側面に位置するリム部１１Ａ１（又は、洗い場用防水パン１２の一側面に位置する土手部１２Ｂ１）が防止パン１２（又は浴槽１１）に対向しながら延びる板方向を言う。
【００２０】
これらの浴槽１１、防水パン１２、結合部材１３Ａ，１３Ｂ、及びバスエプロン１４により、この洗い場付き浴槽１１は、浴槽の部分、洗い場の部分、及びバスエプロンの部分が予め分離されて提供される「３分割構造」を特徴とする。すなわち、これらの主要コンポーネント（浴槽１１、防水パン１２、結合部材１３Ａ，１３Ｂ、及びバスエプロン１４）は、それぞれ、別体として製造されて現場に搬入され、現場にて一体に組み付けられる。
【００２１】
このため、現場への搬入性がアップして省施工が可能になるほか、サイズの大きい点検口（すなわち開口部ＯＰ）を確保できるため、保守性も高い。また、一体に組付け後の浴槽の外観は浴槽１及び洗い場床面が互いに別体に見えるため、ユニットバス１の高級感を醸し出すことができる。
【００２２】
このユニットバス１は、さらに別の主要コンポーネントとして、防水パン１２のＺ軸方向の一端部にて床面から所定高さの位置にほぼ水平に設置される洗い場カウンタ１５と、この洗い場カウンタ１５の手前側の位置に立設される化粧板（蓋板）１６と、この洗い場カウンタ１５、化粧板１６、及び壁面とに囲まれたスペースを利用して配置される給水配管部１７とを備える。このうち、洗い場カウンタ１５及び化粧板１６は利用者であっても簡単に着脱できるようになっている。
【００２３】
次に、図３〜１６を参照して、このユニットバス１の主要コンポーネントの構造をその作用効果と共に詳述する。
【００２４】
（１．浴槽）
図３及び図４に示すように、浴槽１１は、利用者が身体を伸ばして入浴できるように細長い内容積のバスタブＴＢを有し、そのバスタブＴＢの周囲にリム部１１Ａを形成している。リム部１１Ａは、その長手方向（Ｚ軸方向）に沿って位置し且つ防止パン１２に隣接する第１のリム部１１Ａ１と、この第１のリム部１１Ａ１に連なってバスタブＴＢの縁を一周する第２〜第４のリム部１１Ａ２〜１１Ａ４とから成る。
【００２５】
このうち、第１のリム部１１Ａ１は、図４に示すように、バスタブＴＢを形成する壁体が所定高さの位置で所定幅の湾曲部を残すように折れ曲がって一体成形されている。この湾曲部により、下向き（Ｙ軸方向）に開口する略Ｕ字状の溝部２１が形成されている。この溝部２１には、その幅方向（Ｘ軸方向）の中心付近の位置に、所定高さで且つ溝部２１の長手方向（Ｚ軸方向）全体にわたって延びる長さの仕切り板２２が垂下されている。これにより、溝部２１がその長手方向に沿って略二分されている。この二分された溝部２１Ａ，２１Ｂのうち、防水パン側の溝部２１Ａは、後述するようにバスエプロン１４を着脱自在に装着するスペースとして使用される。
【００２６】
第１のリム部１１Ａ１から第２のリム部１１Ａ２に至る角部には、例えば図３に示すように、浴槽水栓２５が立設されている。この浴槽水栓２５は、その角部（リム部）の裏側で後述する２本の配管（給水配管及び給湯配管）に接続されている。
【００２７】
第２〜第４のリム部１１Ａ２〜１１Ａ４には、詳述しないが、立ち上がり部がそれぞれ形成され、この立ち上がり部に浴室の壁体を嵌め込んで止水処理することで止水性を確保している。
【００２８】
（２．防水パン）
一方、防水パン１２は、高さ方向（Ｙ軸方向）において、浴槽１１のリム部１１Ａよりも低い位置に設置される。防水パン１２は、床面部１２Ａと、その床面部１２Ａの周囲に立ち上がりを一体に形成する土手部１２Ｂから成る。床面部１２Ａは、洗い場の中心となる床面本体１２Ａ１と、長手方向（Ｚ軸方向）の一端部に床面本体１２Ａ１から段差によって画成された略矩形状の段差部１２Ａ２とから成る。床面本体１２Ａ１は浴槽寄りの１つの角部に向かって緩やかに傾斜しており、その角部に形成された排水口３１に導水できるようになっている。段差部１２Ａ２には、後述する給水配管部１７が設置される。
【００２９】
この防水パン１２の土手部１２Ｂは、図２、３に示すように、その長手方向（Ｚ軸方向）に沿って位置し且つ浴槽１１に隣接する第１の土手部１２Ｂ１と、この第１の土手部１２Ｂ１に連なって防水パン１２の縁を一周する第２〜第４の土手部１２Ｂ２〜１２Ｂ４とから成る。
【００３０】
このうち、第１の土手部１２Ｂ１は、図４から分かるように、床面本体１２Ａ１及び段差部１２Ａ２から横方向（Ｘ軸方向）に延びる幅の狭いレール状床面３２Ａと、このレール状床面３２Ａから上方向（Ｙ軸方向）に立ち上がる立ち上がり面３２Ｂと、この立ち上がり面３２Ｂから更に横方向に伸びて立ち上がる形状の立ち上がり部３２Ｃとを成る。つまり、この第１の土手部１２Ｂ１は２段階で立ち上がる形状になっている。１段目のレール状床面３２Ａは、後述するようにバスエプロン１４を着脱自在に装着するために使用される。
【００３１】
このため、最初の立ち上がり面３２Ｂには、その内側に、複数個のバネ３３を所定高さ位置で長手方向（Ｚ軸方向）に沿って一定間隔で配置されている。この複数個のバネ３３は、それぞれ、所定長さ且つ所定幅の鋼材を、側面から見て基部３３Ａから立ち上がる逆Ｖ字状の折り曲げ部を有するように折り曲げて形成され、その折り曲げ部に所望のバネ性を持たせている。各バネ３３はその逆Ｖ字状の折り曲げ部を下向きに開口した状態で取り付けられる。これにより、複数個のバネ３３が協働して、それらの折り曲げ部の底部でバスエプロン１４の底面に形成される略Ｖ字状の凹部を着脱自在に受け入れ且つそのバスエプロン１４に上向き（Ｙ軸方向）且つ横向き（Ｘ軸方向で浴槽向き）の成分を有する斜め方向に押圧力を加える。
【００３２】
上述した第１の土手部１２Ｂ１のうち、２段目の立ち上がり部３２Ｃは各種の止水パッキンを以ってしても沁み出した水分があるときに、これを蓄えて自然乾燥させるための止水に対するバッファとしての役目を与えている。
【００３３】
さらに、防水パン１２の第２〜第４の土手部１２Ｂ２〜１２Ｂ４にも、詳述しないが、立ち上がり部がそれぞれ形成され（例えば図４の第２の土手部１２Ｂ２を参照）、この立ち上がり部に浴室の壁体を嵌め込んで止水処理することで止水性が確保される。第３の土手部１２Ｂ３の所定範囲に及ぶ位置には、浴室出入り用のドアが設置される。
【００３４】
なお、防水パン１２の段差部１２Ａ２については、給水配管部１７と共に後述する。
【００３５】
（結合部材）
さらに、１対の結合部材１３Ａ，１３Ｂのうち、第１の結合部材１３Ａの全体斜視図を図５に示す。この第１の結合部材１３Ａは、図５に示すように、浴室の壁体の一部を支持するための支持体（ポスト部）３９と、略板状で所定厚さ及び所定長さを有する支柱体（ピラー部）４１と、この支柱体４１と支柱体３９とを相互に剛結する矩形板状の中間部材４０とを備える。この中間部材４０は、その取り付け状態における下端側の一部が支柱体３９より短く形成される一方で、その上端部は支柱体３９と同一高さに形成されている。
【００３６】
支柱体４１は、略板状の基板部４１Ａと、この基板部の一方の表面Ｓ１（第１の当接面）の途中から直角（又は鈍角：図５中の角度θ参照）に立ち上がる面Ｓ２（第２の当接面）を介して凸状に形成された膨張部４１Ｂと、支柱体４１の取り付け状態での下端部から突状に延設されたフランジ部４１Ｃと、支柱体４１の取り付け状態における上端部に凹んで形成された段差部４１Ｄとを一体に有する。フランジ部４１Ｃ（及び基板部４１Ａ）の板面方向と膨張部４１Ｂの膨張方向（凸部方向）とは直交するように設定されている。
【００３７】
中間部材４０の上端部は、段差部４１Ｄの底面の一部を成している。この中間部材４０の位置には、図６に示すように、組み付け時に浴室の壁体ＷＬを位置させる。このため、支持体３９は、壁体ＷＬの後ろ側に位置し、壁体ＷＬの奥に隠れるので、この壁体ＷＬの取り付けに使用される。
【００３８】
支持体３９は、略矩形状の板状部材でなるが、その取り付け状態における下端部にその板面方向に３角形状に広がる広がり部３９Ａを有し、その上端部にその板面方向に突き出た突き出し部３９Ｂを有して一体に形成されている。支持体３９の広がり部３９Ａを含む下端面は前記中間部材のそれと同一面をなすように形成される一方で、突き出し部３９Ｂは支柱体４１よりも高く形成されている。このため、支持体３９の板面方向は、フランジ部４１Ｃ（及び基板部４１Ａ）のそれとも直交している。
【００３９】
フランジ部４１Ｃの一部には、図５に示すように、その面が一部凹んだ凹部４１Ｃａが形成されている。この凹部４１Ｃａをネジにより防水パン１２の第１の土手部１２Ｂ１の壁面に固定することで、第１の結合部材１３Ａが防水パン１２に結合される。
【００４０】
図５に示すように、この第１の結合部材１３Ａの支柱体４１の底面及び接続部材の底面に掛けて水密部材ＬＢ１が貼り付けられている。また、支柱体４１の段差部４１Ｄ及び支持体３９の突き出し部３９Ｂに掛けて水密部材ＬＢ２が貼り付けられている。
【００４１】
さらに、この第１の結合部材１３Ａの軸方向の取り付け状態での上端部には、浴槽１１への取り付け用の金具４２が取り付けられている。
【００４２】
また、膨張部４１Ｂの部分には、その表裏を貫通する貫通孔４３が所定高さの位置に形成されている。この貫通孔４３は、後述する配管を通過させるためのものである。
【００４３】
これに対して、防水パン１２の第１の土手部１２Ｂ１の端部には、図５に示すように、第１の結合部材１３Ａの支柱体４１のＬ字状の底部の形状に合わせた切込み部４４が形成されている。このとき、第１の結合部材１３Ａの下端部を、かかる切込み部４３に差し込んだときに、図６に示すように、第１の土手部１２Ｂ１の立ち上がり部３２Ｂの面Ｓ３と、第１の結合部材１３Ａの支柱体４１の表面Ｓ１（第１の当接面）とが同一面を形成するように、それらのサイズが設定されている。
【００４４】
また、浴槽１１の第１のリム部１１Ａ１と第２のリム部１１Ａ２との間の角部には、浴槽水栓２５を取り付け用の金具４２で迂回する状態で、第１の結合部材１３Ａの支柱体４１の上端部が固設される（図６参照）。このとき、第１のリム部１１Ａ１に形成された防水パン側の溝部２１Ａの一部を画成する仕切り板２２の面Ｓ４と第１の結合部材１３Ａの支柱体４１の面Ｓ１とが同一面を形成するようにサイズが設定されている。
【００４５】
第２の結合部材１３Ｂを図８〜１０を参照して説明する。この第２の結合部材１３Ｂは、図８に示すように、浴室の壁体の一部を支持するための支持体（ポスト部）４９と、略直方体状で所定厚さ及び所定長さを有する支柱体（ピラー部）５１と、この支柱体５１と支柱体４９とを相互に剛結する矩形板状の中間部材５０とを備える。この中間部材５０は、その取り付け状態における下端側及び上端部の高さが支柱体４９と同一に形成されている。
【００４６】
支柱体５１は、基部５１Ａと、この基部５１Ａの一方の表面Ｓ５（第１の当接面）の途中から直角に立ち上がる面Ｓ６（第２の当接面）を介して凸状に形成された膨張部５１Ｂと、支柱体５１の取り付け状態における基部５１Ａの下端部から突状に延設されたフランジ部５１Ｃと、支柱体５１の取り付け状態における上端部に凹んで形成された段差部５１Ｄとを一体に有する。なお、面Ｓ６は表面Ｓ５から鈍角の角度で立ち上がるようにしてもよい。フランジ部５１Ｃ（及び基部５１Ａ）の突設方向と膨張部５１Ｂの膨張方向（凸部方向）とは直交するように設定されている。
【００４７】
中間部材５０の上端部は、段差部５１Ｄの底面の一部を成している。この中間部材４０の位置には、組み付け時に浴室の壁体ＷＬを位置させる。このため、支持体４９は、壁体ＷＬの後ろ側に位置し、壁体ＷＬの奥に隠れるので、この壁体ＷＬの取り付けに使用される。
【００４８】
支持体４９は、略矩形状の板状部材で成るが、その取り付け状態における上端部にその板面方向に突き出し且つ支柱体５１よりも高く突き出した突き出し部３９Ａを有して一体に形成されている。支持体３９の板面方向は、フランジ部４１Ｃ（及び基板部４１Ａ）のそれとも直交している。
【００４９】
フランジ部５１Ｃの一部には、図８に示すように、その面が一部凹んだ凹部５１Ｃａが形成されている。この凹部５１Ｃａをネジにより防水パン１２の第１の土手部１２Ｂ１の壁面に固定することで、第２の結合部材１３Ｂが防水パン１２に結合される。
【００５０】
図８に示すように、この第２の結合部材１３Ｂの支柱体５１の底面及び接続部材５０の底面に掛けて水密部材ＬＢ３が貼り付けられている。また、支柱体５１の段差部５１Ｄ及び支持体４９の突き出し部４９Ａに掛けて水密部材ＬＢ４が貼り付けられている。
【００５１】
さらに、この第２の結合部材１３Ｂの軸方向の取り付け状態での上端部には、浴槽１１への取り付け用の金具５２が取り付けられている。
【００５２】
これに対して、防水パン１２の第１の土手部１２Ｂ１のもう一方の端部には、図８に示すように、第２の結合部材１３Ｂの底部の形状に合わせた切込み部５３が形成されている。このとき、第２の結合部材１３Ｂの下端部をかかる切込み部４３に差し込んだときに、図９に示すように、第１の土手部１２Ｂ１の立ち上がり部３２Ｂの面Ｓ３と、第２の結合部材１３Ｂの支柱体５１の面Ｓ５とが同一面を形成するように、それらのサイズが設定されている。
【００５３】
また、浴槽１１の第１のリム部１１Ａ１と第４のリム部１１Ａ４との間の角部には、取り付け用の金具５２を介して第２の結合部材１３Ｂの上端部が固設される（図９参照）。このとき、第１のリム部１１Ａ１に形成された防水パン側の溝部２１Ａの一部を画成する仕切り板２２の面Ｓ４と第２の結合部材１３Ｂの支柱体５１の面Ｓ５とが同一面を形成するように、それらのサイズが設定されている。
【００５４】
（バスエプロン）
バスエプロン１４は、所定厚さを有するＦＲＰなどの素材で形成された所定厚さで略矩形状の板体である。このバスエプロン１４の厚さは、第１及び第２の結合部材１３Ａ，１３Ｂの膨張部４１Ｂ，５１Ｂの高さに略一致させている。
【００５５】
さらに、バスエプロン１４の上端側の所定位置には、図４に示すように、その長手方向（取り付け時においてＺ軸方向）に沿って取手部１４Ａが形成されている。これと共に、バスエプロン１４の底面には、前述した防水パン１２の第１の土手部１２Ｂ１に設けた複数個のバネ３３の逆Ｖ字状面に合った略Ｖ字状の溝１４Ｂが形成されている。
【００５６】
さらに、このバスエプロン１４には、図１４（ａ），（ｂ）に概略示すように、その周囲を略２重に取り巻く水密手段が設けられている。一方の水密手段は、取り付け状態のおける浴槽１１側の外表面上１４Ａであって、その板厚方向に直交する４周の側面の端部近傍の位置に沿って矩形状に完全に一周して取り付けられた、ストリップ状の水密パッキン（ゴムパッキン）ＧＰ１で成る。もう一方の水密手段は、バスエプロンの板厚方向に直交する４周の側面のうちの、取り付け状態における上側面及び左右側面の３側面に沿って取り付けられた、ストリップ状の水密パッキン（ゴムパッキン）ＧＰ２で成る。これらの水密パッキンＧＰ１，ＧＰ２は、予めバスエプロン１４に取り付けられ、バスエプロン１４の開口部ＯＰへの取り付け時には、後述するように、浴槽１１及び防水パン１２に対して適度な押圧力で押し付けられて水密性能を発揮するようになっている。
【００５７】
さらに、バスエプロン１４の防水パン１２側の面には、略Ｌ字状の有底状のロック用溝１４Ｃが形成されている。このロック用溝１４Ｃには、後述する化粧板１６の端部に形成した端部が嵌合可能になっている。このため、ユニットバス１の組付け時に、バスエプロン１４を装着した後、化粧板１６の端部がこのロック用溝１４Ｃに収まらないときには、バスエプロン１４の開口部ＯＰへの装着が不完全であることが分かるようになっている。この場合には、バスエプロン１４が所定の位置に収まるように装着作業をし直すことになる。
【００５８】
なお、このバスエプロン１４と防水パン１２の第１の土手部１２Ｂ１のレール状床面３２Ａとの間には、目地材４８が置かれる（図１６参照）。
【００５９】
（５．洗い場カウンタ、化粧板、及び給水配管部）
給水配管部１７は、図３に示すように、防水パン１２のＺ軸方向の一端部に一体形成された段差部１２Ａ２の位置に設けられる。つまり、この給水配管部１７は、防止パン１２の床面の一部を成す段差部１２Ａ２の所定位置に立設された外部の配管（給水配管及び給湯配管）に接続する接続部６１と、この接続部６１に接続された２本の浴室配管６２Ａ，６２Ｂ（給水用及び給湯用）と、この浴室配管６２Ａ，６２Ｂに接続された洗い場水栓６３と、及び浴室配管６２Ａ，６２Ｂからそれぞれ分岐した分岐配管６４Ａ，６４Ｂを備える。
【００６０】
このうち、洗い場水栓６３は浴室壁ＷＬの所定高さ位置に取り付けられる。この浴室壁ＷＬには、図１１に示すように、洗い場カウンタ１５を載置して保持する２つのカウンタ保持体６５，６６が取り付けられている。このカウンタ保持体６５，６６は共に、ストリップ状の金属プレートを折り曲げて、側面方向から見て直角三角形を成す構造を有する。このため、各カウンタ保持体６５（６６）の所定の一辺を浴室壁ＷＬに取り付けるとともに、その一辺と直交するもう一辺を洗い場カウンタ１５の保持に使用する。分岐配管６４Ａ、６４Ｂは一方のカウンタ保持体６５が作る３角形状の開口部を通して浴槽１１の側に送られる。このため、分岐配管６４Ａ，６４Ｂは、そのカウンタ保持体６５に係止される。
【００６１】
分岐配管６４Ａ，６４Ｂは、第１の結合部材１３Ａに形成した連通孔４３を通してバスエプロン１４との隣接位置を通過し、浴槽１１の側に至る。この分岐配管６４Ａ，６４Ｂは、第１の結合部材１１を通過後、立ち上がるように引き回されて浴槽水栓２５の下部に給水可能に接続されている。
【００６２】
この連通孔４３から浴槽水栓２５に至るまでの分岐配管６４Ａ，６４Ｂは、図１１，１２に示すように、水受け材としてのゴム製のチューブ６７により全体が被覆されている。このチューブ６７は、浴槽水栓２５の下端の配管結合部から第１の結合部材１３Ａの連通孔４３までを完全に被うので、仮に配管結合部に水漏れが生じたとしても、その水滴はチューブ６７の内部にしか漏れないようになっている。この水滴は、図１３に模式的に示すように、チューブ６７の内面と伝わって、第１の結合部材１３Ａの連通孔４３から防水パン１２の側に流れ出る。つまり、かかる水漏れによる水滴が浴槽１１の下側にそのまま流れ出て、建築構造体に掛かってしまうことが無いように施工される。
【００６３】
一方、洗い場カウンタ１５は、給水配管部１７、すなわち防止パン１２の段差部１２Ａ２に立設した接続部６１、浴室配管６２Ａ，６２Ｂ、分岐配管６４Ａ，６４Ｂを被うようにカウンタ保持体６５，６６の上に着脱自在に配設される。この洗い場カウンタ１５はその一方の端部、すなわち浴槽１１の側に位置する端部は図１１から分かるように滑らかに湾曲しながら立ち上がる湾曲部（傾斜面）１５Ａを形成している。この湾曲部１５の立ち上がり高さは、浴槽１１の第１のリム部１１Ａ１の縁に滑らかに連なることが可能な値に設定されている。このため、バスエプロン１４の着脱の際、洗い場カウンタ１５が邪魔になって着脱を行なうことができないといった不都合が発生しないようになっている。また、この湾曲部１５Ａを形成することにより、浴槽１１の縁から洗い場カウンタ１５に段差を経て移行するタイプのものと比べて、意匠性が良くなっている。
【００６４】
化粧板１６は、その浴槽側に位置させる端部は手前側に湾曲した湾曲部１６Ａ（図２参照）を有し、残りの部分は直線板状に形成されている。湾曲部１６Ａには、バスエプロン１４のロック用溝１４Ｃに嵌合可能な突起体１６Ａａが一体に形成されている。この化粧板１６は、図１に示す如く、洗い場カウンタ１５の下面に着脱自在に垂設され、洗い場カウンタ１５と協働して給水配管部１７を略直方体状に被うように取り付けられる。具体的には、化粧板１６の上端部が洗い場カウンタ１５のＺ軸方向の所定位置に設けた溝部（図示せず）に嵌合し、且つ、その下端部が段差部１２Ａ２の所定対向位置に設置した複数のバネ６８（図３，５参照）に嵌合できるようになっている。このため、洗い場カウンタ１５を取り付け、さらにバスエプロン１４を取り付けた後で、化粧板１６を取り付けることで、化粧板１６の裏側に給水配管部１７を隠すことができ、意匠性に優れたものになる。
【００６５】
（組み付け作業）
ここで、上述したユニットバス１を現場で組み付けるための作業者による作業工程を説明する。なお、全てのコンポーネントは別体として一般家庭の戸建住宅や集合住宅などの現場に搬入されるものとする。
【００６６】
最初に、建築構造物上に設置された高さ調節用可能な支持架台ＳＰに防水パン１２が置かれ、支持架台ＳＰの高さ調整がなされる。次いで、防水パン１２の隣に浴槽１１が配置される。この浴槽１１も支持架台ＳＰ上に配置して高さ調整に付される。
【００６７】
次いで、浴槽１１と防水パン１２の両者の一辺側の両端部を第１及び第２の結合部材１３Ａ、１３Ｂで相互に結合する。これにより、最初から枠体を用いずとも、浴槽１１及び防水パン１２の双方のリム部並びに第１及び第２の結合部材との間で矩形状の大きな開口部ＯＰを有する枠状部分が形成される。
【００６８】
これが終ると、浴槽１１及び防水パン１２の周囲に浴室を画成する壁体を水密に建て付けるとともに、防水パン１２の段差部１２Ａ２の接続部６１から洗い場水栓６３及び浴槽水栓２５に至る配管を行う。このとき、浴槽側に出ている分岐配管６４Ａ，６４Ｂの部分には、水受け材としてのゴム製のチューブ６７を取り付ける。この配管作業は、大きな開口部ＯＰを使うことできるので、能率良く行なうことができる。
【００６９】
次いで、洗い場カウンタ１５を被せてから、バスエプロン１４の一方の外表面１４Ａを浴槽１１の側にして、上述した枠状部分にバスエプロン１４を、開口部ＯＰを塞ぐように嵌め込む。このバスエプロン１４と枠状部分との間、すなわち浴槽１１及び防水パン１２は、浴槽１１の外側のスペースから、確実な水密性の仕切りで仕切られることになる。
【００７０】
ここで、図１５、１６を参照して、この枠状部分をその止水ラインと共に詳述する。ユニットバス１の組付けに際し、第１及び第２の結合部材１３Ａ，１３Ｂで浴槽１１及び防止パン１２を相互に結合すると、防水パン１２の第１の土手部１２Ｂ１のレール状面３２Ａが浴槽１１の第１のリム部１１Ａの下向き溝部２１Ａに相対するように浴槽１１及び防水パン１２が位置決めされる。
【００７１】
この結果、図１５のクロスハッチングの領域として示すように、浴槽１１の防水パン側の第１のリム部１１Ａ１の仕切り板２２の面Ｓ４、防水パン１２の浴槽側の第１の土手部１２Ｂ１の経ち上がり部３２Ｂの面Ｓ３、及び両サイドに位置するピラーとしての第１及び第２の結合部材１３Ａ、１３Ｂの支柱体４１，５１の面Ｓ１，Ｓ５の合計４つの面が矩形状の開口部ＯＰを画成し、かつ、それらの４面の面位置（面の高さ）が一致する。つまり、これにより、分割されていた浴槽１１及び防水パン１２をそれぞれ所定位置に位置させながら相互に結合するとともに、４面を呈する部材（２２、３２Ｂ、４１及び５１）により矩形状の枠状部分が形成され、矩形状の大きな開口部ＯＰが形成される。この大きな開口部ＯＰは、施工や保守のときの作業用に使用される。
【００７２】
そこで、取手部１４Ａを掴んでバスエプロン１４を持ち上げ、その一方の外表面１４Ａ（図１４（ａ），（ｂ）参照）を浴槽１１の側に向けながら、当該バスエプロン１４の上端部を両サイドの第１及び第２の結合部材１３Ａ，１３Ｂの間の位置に持っていき、そのまま浴槽１１の第１のリム部１１Ａ１の溝２１Ａに差し込みながら、その下端部を防水パン１２の第１の土手部１２Ｂ１のレール状床面３２Ａの位置に押し込む。この押し込みのときに、レール状床面３２Ａの上側に突出するように設けられているバネ３３の下向きＶ字状面を、バスエプロン１４の下端面の先頭部が乗り越えられるように、同バスエプロン１４を少し上に押圧する。これにより、バスエプロン１４の下端面の下向きＶ字状の凹部１４Ｂと複数のバネ３３それぞれの下向きＶ字状面とが嵌合し、且つ、バネ３３のバネ力によりロックされる（図１６参照）。
【００７３】
各バネ３３の基部３３Ａはレール状床面３２Ａから垂直に立ち上がっている面３２Ｂに取り付けられているため、その基部３３Ａと逆Ｖ字状のブレード部との間に上向き（基部に平行な上方向）及び横向き（基部に向いた方向の成分が合成された斜め方向に向かうバネ力Ｆ１、Ｆ２が作用する。このため、バスエプロン１４にも上向き（Ｙ軸方向）と浴槽向き（Ｘ軸方向）の押圧力が加わる（図１６中の矢印Ａ１〜Ａ３参照）。つまり、バスエプロン１４は上述した４面を呈する枠状部材（２２、３２Ｂ、４１及び５１）に収まり且つ一定の押圧力で押し付けられる。
【００７４】
このため、４面Ｓ１，Ｓ３，Ｓ４，Ｓ５を呈する枠状部材（２２、３２Ｂ、４１及び５１）とバスエプロン１４との間で、一方の水密パッキンＧＰ２が浴槽向きに押圧され、その全周（１周分）で止水性を発揮する。さらに、もう一方の水密パッキンＧＰ１のうち、バスエプロン１４の上端面に位置する部分は上向きに押圧されて止水性を発揮する。この水密パッキンＧＰ１のうち、残りのバスエプロン１４の両サイドに位置する部分は、Ｚ軸方向におけるバスエプロン１４のサイズ及び第１、第２の結合部材１３Ａ，１３Ｂの距離のクリアランスを適宜に設計することにより、バスエプロン１４を装着するときの嵌合具合によって両サイドの方向に押圧されるようになっている。
【００７５】
この結果、図１５に太い実線ＷＳ１、ＷＳ２で示すように、バスエプロン１４を開口部ＯＰに装着するだけで、枠状部材（２２、３２Ｂ、４１及び５１）とバスエプロン１４との間で略２重の止水ラインＷＳ１，ＷＳ２が形成される。なお、図１５におけるＬＢ１〜ＬＢ４は、第１及び第２の結合部材１３Ａ，１３Ｂに予め装着されており、浴槽１１及び防水パン１２を相互に結合するときに、それらのコンポーネントとの間に介挿されて別の止水ラインを形成する水密パッキンである。
【００７６】
上述した止水ラインＷＳ１，ＷＳ２のうち、一方の止水ラインＷＳ１は、枠状部材（２２、３２Ｂ、４１及び５１）の内側寄りの位置を完全に一周し、もう一方の止水ラインＷＳ２は、その止水ラインＷＳ１よりも外側の位置を３／４周（すなわち、上側と左右を周回）している。この略２重の止水ラインＷＳ１、ＷＳ２により、確実な止水性能が発揮される。とくに、浴槽１１から溢れる水がバスエプロン１４の上部や左右の縁を伝わって入り込もうとしても、外側に位置する３／４周の止水ラインＷＳ２が在るため、これに確実にブロックされる。このため、この止水ラインＷＳ２が、その内側に位置するもう一方の止水ラインＷＳ１と協働して止水性能を格段にアップさせ、確実な止水性が得られる。
【００７７】
なお、バスエプロン１４の浴槽側面の下端に位置する立ち上がり部３２Ｃは、仮にバスエプロン１４の上側からの水分の沁み出しがあっても、これを一時的に受け止めて自然乾燥可能になっている。これにより、バスエプロン１４の上部からの水滴に対しては、止水ラインＷＳ１，ＷＳ２のほかに第３の止水手段が設置されることとなり、極めて高い止水性が発揮される。
【００７８】
最後に、化粧板１６を洗い場カウンタ１５の足元に嵌め込む。この嵌め込みのとき、バスエプロン１４が所定位置に嵌め込まれていないときには、そのロック用溝１４Ｃに化粧板１６の端部の突起体１６Ａａを嵌合できない。これにより、作業者は、バスエプロン１４の嵌め込みが所定位置で確実に行なわれていないということを容易に認識できるので、バスエプロン１４の嵌め込みをやり直すことになる。バスエプロン１４が所定位置に嵌め込まれている場合、すなわち、バスエプロン１４の枠状部分との水密性が十分に確保されている場合、化粧板１６を洗い場カウンタ１５の足元に嵌め込むことができる。これにより、不用意な施工を排除して漏水事故などが起こる事態を、未然に且つ確実に防止することができる。また、このロック機構により、バスエプロン１４に掛かる荷重を化粧板１６の側にも一部負担させることができるので、バスエプロン１４の耐加重性能もアップさせることもできる。
【００７９】
（効果）
本実施形態に係るユニットバス１は以上のように構成されて機能することから、様々な利点を享受することができる。
【００８０】
まず、基本的に、浴槽、バスエプロン、及び洗い場用防水パンを３分割構造としたため、主要なコンポーネントをそれぞれ別体として現場に搬入して組み付けることができる。また、従来の分割方式（例えば、前述した特許文献１に記載のユニットバス）のように、浴槽及び洗い場用防水パンを結合する結合フレーム、この結合フレームにより形成される開口部を閉じる蓋体、及び浴槽遮蔽エプロンといった多数の大形の製造コストの高いコンポーネントが不要になり、単に、左右両端部に立設する一対の結合部材１３Ａ，１３Ｂとバスエプロン１４が有ればよい。
【００８１】
この結合部材とバスエプロンを用いた簡素な構成でありながら、浴槽１１と洗い場用防水パン１２をその両端部で相互に所定位置で結合でき、この結合により大きな開口部ＯＰを画成して施工や保守のときの作業性をアップさせることができる。
【００８２】
特に、点検や保守が必要なときは、バスエプロン１４をいつでも外すことができる。この場合、バスエプロン１４の下部に置いてある目地材４８を引き出した後、バスエプロン１４の底面に手を掛けて少し上に持ち上げるようにしながら手前に静かに引けばよい。これにより、再び、大きな開口部ＯＰが現われるので、この開口部ＯＰを通して必要な作業を行なうことができる。
【００８３】
また、大形のコンポーネントが少なくなったため、浴槽１１、防水パン１２、及びバスエプロン１４の表面色や製法を適宜変更して、商品群の多様化と意匠性のアップを図ることも容易になる。
【００８４】
加えて、結合部材１３Ａ，１３Ｂを用いた結合により、バスエプロン１４を嵌め込む枠状部分を形成して、バスエプロン１４を簡単に且つ着脱自在に水密状態で取り付けることができる。
【００８５】
このように、施工作業や保守点検のための開口部を大きく採ることができ、確実な水密性を確保でき、防水パンとバスエプロンが仕切られていることに拠る高級感もある。
【００８６】
さらには、上述した従来の分割方式のような大形のコンポーネントを少なくし且つコンポーネントの点数を少なくしていることから、使用材料の量を削減できることとも相俟って、コンポーネント自体の製造コストを低減させることができ、強いては、ユニットバス１の販売価格を下げることもできる。
【００８７】
さらには、上述した従来の分割方式に比べて、小形のコンポーネントが増えることから、保管、運搬、搬入、組み付けなど施工完了までのあらゆる工程で取り扱い易くなり、作業者の作業能率も著しくアップ可能になる。
【００８８】
また、３分割構造に係るユニットバス１であっても、従来の非分割タイプのものと同様に洗い場付き浴槽の機能を実現できるので、主要コンポーネントを別体として搬入できることのメリットは殊更大きい。特に、戸建住宅や集合住宅のように狭い通路を通って浴室の位置までコンポーネントを運搬できること、及び、現場において浴室のドアからコンポーネントを搬入できることにより、作業コストを大きく低減可能になる。
【００８９】
さらに、小形化によって、製造方法のオプションも広がり、より安価に製造することも可能になる。
【００９０】
また、本実施形態にあっては、バスエプロン１４の装着に際し、図１６からも分かるように、バネ部材３３の押圧力を利用して水密パッキンに圧力を加えて若干変形させだけの簡単な構造で水密性を確保できる。これにより、水密性を確保するための構造が極めて簡単になる。
【００９１】
さらに、図１４，１５に示したように、略２重の止水ラインＷＳ１，ＷＳ２により確実な水密性能を発揮できることに加え、止水ラインＷＳ１，ＷＳ２を成す水密パッキンＧＰ１，ＧＰ２をバスエプロン１４の異なる面上に装着させたことによる効果がある。すなわち、水密パッキンＧＰ１，ＧＰ２を２本共、バスエプロン１４の浴槽側の外表面１４Ａのみに配置した場合、バスエプロン１４を取り付けたときの反発力が大きくなり、今度は、より大きな押圧力でバスエプロン１４を押えつける必要が出てくる。そのような事態に至ると、バネ３３の大形化が必要になる。反対に、バネ３３の押圧力が弱いと、水密パッキンに対する押さえ付け量が不足して水密性が低下する。これに対して、本実施形態のように、２重の水密パッキンＧＰ１，ＧＰ２をバスエプロン１４の異なる面（一方の外表面１４Ａとそれに連なる両側面及び上面の３面から成る面との二つ面部）に分散して装着すると、水密パッキンからの反発力を抑えつつ確実な水密性を確保でき、バネ３３のサイズ及び押圧性能、確実な水密性能、バスエプロンの発生する応力に因る破損などの回避の観点でバランスのとれた設計が可能になる。
【００９２】
上述した基本的な作用効果の他に、本実施形態では更に様々な特徴がある。
【００９３】
例えば、入浴者がバスタブに腰を下ろすなどして、バスエプロン１４に下向きの加重がかかった場合、バネ３３の変形により、バスエプロン１４に止水性を保持した範囲内である程度の下向きの変形を許容できる。これにより、バスエプロン１４と浴槽１１及び防水パン１２とが完全な剛体として結合されてしまうことを防止でき、若干の弾性変形により加重を支えることができる。
【００９４】
このとき、バスエプロン１４と防水パン１２の第１の土手部１２Ｂ１のレール状床面３２Ａとの間には、目地材４８が置かれる（図１６参照）。このため、バスエプロン１４の変形が大きくなろうとすると、バスエプロン１４は、この目地材４８からの反発力を受ける。このため、バネ３３からバスエプロン１４が外れてしまうことを阻止できる。すなわち、バネ３３のロック機能の弱体化を阻止できる。
【００９５】
また、目地材４８を配置することで、かかる隙間にごみなどが溜まることを防止できるし、また美観上の体裁もよい。
【００９６】
さらに、第１及び第２の結合部材１３Ａ，１３Ｂに形成した第１の当接面Ｓ１及び第２の当接面Ｓ２（図５参照）との成す角度を直角又は鈍角としている。とくに、所定の鈍角な角度にすることによって、バスエプロン１４を開口部ＯＰに装着するときに、側面の水密パッキンＧＰ２がよじれて切断してしまうといった可能性を極めて低くすることができる。なお、この鈍角にする構造は、第１及び第２の結合部材１３Ａ，１３Ｂのうちの一方にのみ実施するようにしてもよい。
【００９７】
一方、１対の結合部材１３Ａ，１３Ｂのそれぞれは、枠部の一部を成す面を呈する支柱体（ピラー部）４１（５１）と、この支柱体４１（５１）に結合し且つ浴室の壁体ＷＬの支持に供する支持体（ポスト部）３９（４９）とを有し、支柱体４１（５１）は、壁体ＷＬに対して支持体３９（４９）よりも遠い位置に在る。このため、中間部材４０（５０）の位置に壁体ＷＬを建て付け、この壁体ＷＬと支柱体（ピラー部）４１（５１）との間をコーキングするときに、コーキングが乾くまで待たなくてもバスエプロン１４を取り付けることができ、作業の迅速化を図ることができる。
【００９８】
さらに、支柱体（ピラー部）４１（５１）は、バスエプロン１４が取り付けられた状態にて、当該バスエプロン１４と壁体ＷＬとの間に双方に密着して位置する。このため、支柱体４１（５１）が露出する面積を極力小さくすることができ、意匠性に優れたものになる。
【００９９】
また、結合部材１３Ａ，１３Ｂの装着時の位置決め及びこれに付随して以下のような効果も得られる。
【０１００】
１対の結合部材１３Ａ，１３Ｂのそれぞれが有する支柱体４１（５１）は、その軸方向からみて略Ｌ字状に形成された底面を有する。このため、支柱体４１（５１）を防水パン１２の平坦な設置面、すなわち、切り込み部４４（５３）の面に置くだけで、特別な施工をせずとも、結合部材１３Ａ（１３Ｂ）を垂直に立てることができる。これにより、浴槽１１と防水パン１２を容易に且つ確実に結合させることができる。また、この結合部材１３Ａ，１３Ｂが小形であるため、ユニットバス１の全体の小形・軽量化及びコストダウンを図ることができる。さらに、この結合部材１３Ａ，１３Ｂの小形化によって、点検口としての機能させる開口部ＯＰの面積を大きく採ることができ、点検作業が容易になるとともに、結合部材が外観として露出する面積を極力小さく抑えることができ、意匠性を高めることができる。
【０１０１】
また、結合部材１３Ａ，１３Ｂは、それぞれ、枠部の一部を成す面を呈する支柱体４１（５１）と、浴室の壁ＷＬの支持に供する支持体３９（４９）と、この支持体３９（４９）と支柱体４１（５１）とを接続する略矩形状で板状の中間部材４０（５０）とを備えたので、そのままで支持体３９（４９）と支柱体４１（５１）とが互いに平行になっている。このため、支柱体４１（５１）を所定位置（切り込み部４４（５３）の面）に置くだけで、支柱体４１（５１）が床面に対して垂直になり、且つ、支柱体４１（５１）及び支持体３９（４９）が中間部材４０（５０）の位置に配置される壁体ＷＬに対して平行に位置決めされる。これにより、浴槽１１及び防水パン１２の結合並びに壁体ＷＬの組み付けに要する作業が容易化される。
【０１０２】
また、本実施形態のユニットバス１にあっては、洗い場用防水パン１２の側から浴槽１１の側への配管を、第１の結合部材１３Ａに形成した連通孔４３を通している。このため、結合部材１３Ａに配管保持の機能を持たせることができ、配管を効率良く引き回すことができ、更には、配管をユニットバス１内に置くことができるという利点がある。とくに、この配管をユニットバス１内に、すなわち浴室内に置くことで、配管の施工や点検を全て浴室内で済ますことができる。このことに拠り、作業能率は大幅にアップする。さらに、かかる配管の配置に拠って、洗い場カウンタ１５の下に位置する配管部分から水漏れがあっても、その水は洗い場用防水パン１２で受けることから、漏水によって建築構造物に被害を与えることも無い。
【０１０３】
加えて、浴槽１１の側に位置する配管の部分は水受け材としてのチューブ６７で覆われているため、浴槽水栓２５の取り付け部分やその取り付け部分に接続される配管部分から漏水があった場合でも、その水をチューブ６７を介して洗い場防水パン１２に確実に回収することができる。これにより、浴槽１１の下の建築構造物に水漏れの被害を与えることも無く、また防止パンを浴槽１１の下に置く必要もない。かかる水漏れに対しては、バスエプロン１４を取り外して、その開口部ＯＰから簡単に点検することができる。
【０１０４】
一方、洗い場用防水パン１２の配管部分は洗い場カウンタ及び化粧板で被っているので、防水パン１２の配管接続部や第１の結合部材１３Ａの連通孔をシャワーなどの散水から殆ど確実に保護することができ、防水性能を劣化防止に有効である。また、カウンタ部分の見栄えが意匠的にも良くなる。
【０１０５】
なお、本発明は上述した実施形態の構成に限定されるものではなく、特許請求の範囲に要旨に基づき、さらに種々の形態に変形可能なことは勿論である。
【図面の簡単な説明】
【０１０６】
【図１】本発明の一実施形態に係るユニットバスの外観斜視図。
【図２】ユニットバスの主要コンポーネントを分解して示す分解斜視図。
【図３】ユニットバスの洗い場用防水パンの一端部に設置する給水配管部の概要を主に説明する斜視図。
【図４】取り付けた状態におけるバスエプロンの断面構造を主に示す縦断面図。
【図５】取り外した状態における第１の結合部材と浴槽及び洗い場用防止パンの土手部とを示す斜視図。
【図６】第１の結合部材で浴槽及び洗い場用防止パンの土手部を相互に結合した状態を示す斜視図。
【図７】取り付けた状態における第１の結合部材の横断面図。
【図８】取り外した状態における第２の結合部材と浴槽及び洗い場用防止パンの土手部とを示す斜視図。
【図９】第２の結合部材で浴槽及び洗い場用防止パンの土手部を相互に結合した状態を示す斜視図。
【図１０】取り付けた状態における第１の結合部材の横断面図。
【図１１】給水配管部の配管構造を示す斜視図。
【図１２】給水配管部における、浴槽側に配置された水受け材としてのチューブの取り付け状態を示す斜視図。
【図１３】水受け材としてのチューブの漏水に対する導水機能を説明する説明図。
【図１４】（a）はバスエプロンに装着した水密部材を示す斜視図、及び、（ｂ）は同図（a）のＩＩ−ＩＩ線に沿った断面図。
【図１５】バスエプロンを開口部に装着したときに生成される止水ラインの説明図。
【図１６】防水パンの土手部に設けたバネによるバスエプロンに印加される押圧力と止水性能との関係を説明する図。
【符号の説明】
【０１０７】
１  ユニットバス
１１  浴槽
１１Ａ１  浴槽の１面側のリム部
１２  洗い場用防水パン
１２Ｂ１  洗い場用防水パンの１面側の土手部
１３Ａ、１３Ｂ  第１及び第２の結合部材
１４  バスエプロン
１４Ａ  バスエプロンの一方の外表面
１４Ｃ  ロック用溝
１５  洗い場カウンタ
１５Ａ  傾斜部
１６  化粧板
１６Ａａ  ロック用端部
２２  仕切り板
３９  支持体
４０  中間部材
４１  支柱体
４８  目地材
４９  支持体
５０  中間部材
５１  支柱体
ＬＢ１〜ＬＢ４  水密パッキン
ＧＰ１、ＧＰ２  水密パッキン
ＳＷ１、ＳＷ２  止水ライン
Ｓ１、Ｓ３、Ｓ４、Ｓ５  開口部を画成する同一高さの面
Ｓ１、Ｓ５  第１の当接面
Ｓ２、Ｓ６  第２の当接面
ＷＬ  浴室の壁体